【事件の表示】
　特許第６２６０８７９号発明「照明器具」の特許異議申立事件について、次のとおり決定する。
【結　論】
　特許第６２６０８７９号の明細書、特許請求の範囲を訂正請求書に添付された訂正明細書、訂正特許請求の範囲のとおり、訂正後の請求項〔１−３〕について訂正することを認める。
　特許第６２６０８７９号の請求項１−３に係る特許を維持する。
【理　由】
第１　手続の経緯  
　特許第６２６０８７９号（以下、「本件特許」という。）の請求項１〜３に係る特許についての出願は、平成２８年５月３１日に特許出願された（原出願：特願２０１５−１１５７３３号、出願遡及日：平成２３年１月１１日）ものであり、経緯は次のとおりである。 
平成２９年　４月　４日付け：拒絶理由通知 
　　　同年　５月２６日付け：意見書及び手続補正書の提出 
　　　同年　８月　９日付け：拒絶理由通知（最後） 
　　　同年１０月１１日付け：意見書及び手続補正書の提出 
　　　同年１０月１８日付け：特許査定 
　　　同年１２月２２日　　：特許権の設定登録 
平成３０年　１月１７日　　：特許掲載公報の発行 
　　　同年　７月１３日　　：特許異議申立人西村太一及び特許異議申立人
　　　　　　　　　　　　　　梯京子より特許異議の申立 
　　　同年１１月　５日付け：取消理由通知 
平成３１年　１月　８日　　：特許権者からの意見書及び訂正請求書の提出
　　　同年　１月１８日付け：訂正請求があった旨の通知（特許法第１２０
　　　　　　　　　　　　　　条の５第５項） 
　　　同年　２月２２日　　：両特許異議申立人からの意見書の提出 
　　　同年　４月１２日付け：訂正拒絶理由通知 
令和　１年　５月２０日　　：特許権者からの意見書及び手続補正書の提出
　　　同年　６月１４日付け：取消理由通知（決定の予告）
　　　同年　８月１９日　　：特許権者からの意見書及び訂正請求書の提出
 
第２　訂正の適否  
１．訂正の内容  
　令和１年８月１９日に提出された訂正請求書による訂正の請求（以下「本件訂正請求」という。また、本件訂正請求に係る訂正を「本件訂正」という。）は、本件特許の願書に添付した明細書及び特許請求の範囲（以下、それぞれ「本件明細書」、「本件特許請求の範囲」といい、図面を含めて「本件明細書等」という。）を、訂正請求書に添付した訂正明細書及び訂正特許請求の範囲のとおり訂正することを求めるものであり、その訂正の内容は以下のとおりである。（下線部は訂正個所。）
　なお、平成３１年１月８日にされた訂正の請求は、特許法第１２０条の５第７項の規定により、取下げられたものとみなす。
 
（１）訂正事項１  
　本件特許請求の範囲の請求項１が、本件訂正前に
「円形状の本体と；
　環状に一体的に形成され、複数の発光素子が実装された基板と；
  環状に形成された拡散部材と；
  前記発光素子を実装した基板及び拡散部材を含めた前記本体の前面側を覆う拡散性を備えたカバー部材と；
　を有する照明器具において、
　前記拡散部材は、前記複数の発光素子に対向して配設される拡散部及びこの拡散部の幅方向である前記基板の内周側及び外周側に連続して延在する平坦部を有し、前記基板の全面を前面側から覆うように前記本体に固定されることを特徴とする照明器具。」
　とあったものを、本件訂正後に、 
 「
円形状の開口を有する
　
前記開口の内側に配設され、天井面に配設された配線器具と電気的かつ機械的に接続されるアダプタが係合される略円筒状の取付部と；
　
前記取付部を囲むように
が前記取付部を中心とする略円周方向に
　環状に形成された拡散部材と；  
　前記発光素子を実装した基板及び拡散部材を含めた前記本体の前面側を覆う拡散性を備えたカバー部材と；  
　を有する照明器具において、  
　前記拡散部材
は、前
に実装された複数の発光素子よりも
の前記略円周方向に連続して延在する第１の平坦部と当該複数の発光素子よりも
の前記略円周方向に
第２の
と、第１の平坦部および第２の平坦部の間に、断面形状が一定であって、前記複数の発光素子に対向するように前記略円周方向に連続して形成され、前記第１の平坦部および第２の平坦部よりも突出している突出部分と
前記複数の発光素子が実装されている側の面の
　に訂正する。  
  
（２）訂正事項２  
　特許請求の範囲の請求項２が、本件訂正前に、
「前記拡散部材の平坦部には、前記拡散部材を前記本体に取り付けるための固定手段が介在していることを特徴とする請求項１に記載の照明器具。」
　とあったものを、本件訂正後に、 　  
「前記拡散部材
は、第１の平坦部および第２の
おいて、ねじにより、
けられてい
　に訂正する。  
  
（３）訂正事項３  
　特許請求の範囲の請求項３が、本件訂正前に、
「前記基板には切欠きが形成されており、この切欠きを介して前記固定手段が配設されていることを特徴とする請求項２に記載の照明器具。」
　とあったものを、本件訂正後に、  
「前記基板には切欠きが形成されており、この切欠
を挿通するねじにより、前記拡散部材は、前記本体に固定される
　に訂正する。  
  
（４）訂正事項４  
　願書に添付した明細書の段落【０００８】の記載を、
「本発明の実施形態による照明器具は、円形状の
開口を有する円形状の
前記開口の内側に配設され、天井面に配設された配線器具と電気的かつ機械的に接続されるアダプタが係合される略円筒状の取付部と；前記取付部を囲むように
が前記取付部を中心とする略円周方向に
は、前
に実装された複数の発光素子よりも
の前記略円周方向に連続して延在する第１の平坦部と当該複数の発光素子よりも
の前記略円周方向に
第２の
と、第１の平坦部および第２の平坦部の間に、断面形状が一定であって、前記複数の発光素子に対向するように前記略円周方向に連続して形成され、前記第１の平坦部および第２の平坦部よりも突出している突出部分と
前記複数の発光素子が実装されている側の面の
　に訂正とする。  
 
　本件訂正請求の訂正事項１〜３の本件特許請求の範囲に係る訂正は、一群の請求項〔１〜３〕に対して請求されたものである。また、訂正事項４に係る明細書に係る訂正は、一群の請求項〔１〜３〕について請求されたものである。  
２．訂正の適否  
（１）本件明細書等の記載事項
　本件特許の願書に添付した明細書（以下「本件明細書」といい、特許請求の範囲及び図面をも併せて「本件明細書等」という。）には次の記載がある。なお、下線は当審で付したものである。
「【０００７】
　本発明は、上記課題に鑑みなされたもので、複数の発光素子を取付部の周囲に配置したものにおいて、照射光の均斉度の向上を図ることが可能な照明器具を提供することを目的とする。」
「【００１３】
　図１乃至図４において、照明器具は、本体１と、光源部２と、拡散部材３と、点灯装置４と、点灯装置カバー５と、取付部６と、カバー部材７とを備えている。また、
器具取付面としての天井面Ｃに設置された引掛けシーリングボディＣｂに電気的かつ機械的に接続されるアダプタＡを備えている
【００１４】
　
図２乃至図５に示すように、本体１は、冷間圧延鋼板等の金属材料の平板から円形状に形成されたシャーシであり、略中央部に、後述する取付部６を配設するための円形状の開口１１が形成されている
「【００１８】
　
発光素子２２は、ＬＥＤであり、表面実装型のＬＥＤパッケージである。このＬＥＤパッケージが複数個サークル状の基板２１の周方向に沿って、つまり、取付部６を中心とする略円周上に複数列、本実施形態では、内周側及び外周側の２列に亘って実装されている
「【００２３】
　拡散部材３は、レンズ部材であり、図７の参照を加えて説明するように、例えば、ポリカーボネートやアクリル樹脂等の絶縁性を有する透明合成樹脂からなり、強化絶縁性能を有している。
そして、前記発光素子２２の配置に沿って略サークル状に一体的に形成されていて、発光素子２２を含めて基板２１の全面を覆うように配設されている
【００２４】
　また、レンズ部材は、図５及び図７に代表して示すように、
略サークル状の内周側部分と外周側部分とに発光素子２２に対向して円周方向に２条の山形であって、断面形状が一定の突条部３１が連続して形成されている
【００２５】
　さらに、
これら突条部３１からは幅方向に延出する平坦部３３が形成されており、これにより基板２１の全面が覆われるようになっている
「【００３１】
　
上記のように構成された光源部２は、図４及び図５に代表して示すように、基板２１が取付部６の周囲に位置して、発光素子２２の実装面が前面側、すなわち、下方の照射方向に向けられて配設されている
基板２１の前面側から拡散部材３が重ね合わされ、この拡散部材３を例えば、ねじＳ等の固定手段によって本体１に取付けることにより、基板２１は、本体１と拡散部材３との間挟み込まれて押圧固定されるようになっている
「【００３７】
　
取付部６は、略円筒状に形成されたアダプタガイドであり、このアダプタガイドの中央部には、アダプタＡが挿通し、係合する係合口６１が設けられている。このアダプタガイドは、本体１の中央部に形成された開口１１に対応して配設されている
【００３８】
　なお、取付部６は、必ずしもアダプタガイド等と指称される部材である必要はない。例えば、本体１等に形成される開口であってもよく、要は、配線器具としての引掛けシーリングボディＣｂに対向し、アダプタＡが係合される部材や部分を意味している。」
　また、以下の図が示されている。
【図４】
【図５】
【図６】
【図７】
（２）訂正事項１について 
　訂正事項１を、「
円形状の開口を有する
前記開口の内側に配設され、天井面に配設された配線器具と電気的かつ機械的に接続されるアダプタが係合される略円筒状の取付部と；前記取付部を囲むように
が前記取付部を中心とする略円周方向に
は、前
に実装された複数の発光素子よりも
の前記略円周方向に連続して延在する第１の平坦部と当該複数の発光素子よりも
の前記略円周方向に
第２の
と、第１の平坦部および第２の平坦部の間に、断面形状が一定であって、前記複数の発光素子に対向するように前記略円周方向に連続して形成され、前記第１の平坦部および第２の平坦部よりも突出している突出部分と
前記複数の発光素子が実装されている側の面の
  
ア．訂正Ａについて 
　訂正Ａによる訂正は、訂正前の請求項１に記載した発明を特定するために必要な事項である「円形状の本体」、及び「複数の発光素子が実装された基板」の構成について、本件明細書の段落【００１４】の「図２乃至図５に示すように、本体１は、冷間圧延鋼板等の金属材料の平板から円形状に形成されたシャーシであり、略中央部に、後述する取付部６を配設するための円形状の開口１１が形成されている。」との記載を根拠に、「円形状の本体」が「
円形状の開口を有する
開口の内側に
天井面に配設された配線器具と電気的かつ機械的に接続されるアダプタが係合される略円筒状の取付部
前記取付部を囲むように
が前記取付部を中心とする略円周方向に
　したがって、訂正Ａによる訂正は、特許請求の範囲の減縮を目的とするものであり、また、新規事項の追加に該当せず、実質上特許請求の範囲を拡張し、又は変更するものでもない。  
  
イ．訂正Ｂについて 
（ア）訂正Ｂは、令和１年６月１４日付け取消理由通知（以下「決定の予告」という。）におい指摘した、後述する記載不備の理由に対応してなされたものである。
（イ）「第１の平坦部」及び「第２の平坦部」について
　本件明細書等には、「第１の平坦部」及び「第２の平坦部」という用語は記載はないが、これに関連して、本件明細書の段落【００２５】には「これら突条部３１からは幅方向に延出する平坦部３３が形成されており、これにより基板２１の全面が覆われるようになっている。」と記載され、この中で「平坦部３３」という用語は記載されている。そして、【図７】を参照すると、【図７】に示されている紙面左側の「平坦部３３」は、【図３】及び【図５】に示された「発光素子２２」及び「拡散部材」の配置をも併せみると、複数の発光素子よりも内周側にあり、略円周方向に連続して延在することが、また、紙面右側の「平坦部３３」は、複数の発光素子よりも外周側にあり、略円周方向に連続して延在することが看取できるから、紙面左側の「平坦部３３」は「基板
に実装された複数の発光素子よりも
の前記略円周方向に連続して延在する
複数の発光素子よりも
の前記略円周方向に連続して延在する
  
（ウ）「突出部分」について
　本件明細書等には、「突出部分」という用語は記載されていないが、これに関連して、本件明細書の上記段落【００２４】には「略サークル状の内周側部分と外周側部分とに発光素子２２に対向して円周方向に２条の山形であって、断面形状が一定の突条部３１が連続して形成されている。」と記載され、この中で「突条部３１」という用語が記載されている。さらに、本件明細書の上記段落【００１８】の「
発光素子２２は、
取付部６を中心とする略円周上に
実装されている
　他方、訂正Ｂの「
断面形状が一定であって、前記複数の発光素子に対向するように前記略円周方向に連続して形成され、前記第１の平坦部および第２の平坦部よりも突出している突出部分
略円筒状の取付部と；前記取付部を囲むように
が前記取付部を中心とする略円周方向に
　また、【図７】には、上記（イ）を踏まえると、当該「突条部３１」が第１の平坦部（紙面右側の「平坦部３３」）および第２の平坦部（紙面左側の「平坦部３３」）の間にあることが看取できる。
（エ）上記（イ）及び（ウ）を踏まえると、訂正Ｂによる訂正は、本件明細書等に記載された事項の範囲内において、訂正前の「拡散部」及び「平坦部」の構成を限定するとともに、記載の明瞭化を図るものである。
　したがって、訂正Ｂによる訂正は、特許請求の範囲の減縮及び明瞭でない記載の釈明を目的とするものであり、また、新規事項の追加に該当せず、実質上特許請求の範囲を拡張し、又は変更するものでもない。
ウ．訂正Ｃについて 
　訂正Ｃは、決定の予告におい指摘した、後述する記載不備の理由（「第５　１．（１）イ．」を参照。）に対応して、本件明細書の上記段落【００２３】の「そして、前記発光素子２２の配置に沿って略サークル状に一体的に形成されていて、発光素子２２を含めて基板２１の全面を覆うように配設されている。」との記載及び【図２】、【図５】等の図示内容を根拠に、訂正前の「前記基板の全面を前面側から覆うように前記本体に固定される」を「
前記基板の前記複数の発光素子が実装されている側の面の全面を前面側から覆うように前記本体に固定される
  
エ．以上のとおりであるから、訂正事項１（訂正Ａ〜Ｃ）は、特許請求の範囲の減縮を目的又は明瞭でない記載の釈明を目的とするものであり、また、新規事項の追加に該当せず、実質上特許請求の範囲を拡張し、又は変更するものでもない。
  
（３）訂正事項２について 
　訂正事項２は、決定の予告におい指摘した、後述する記載不備の理由（「第５　１．（２）」を参照。）に対応して、本件明細書の上記段落【００３１】の「基板２１の前面側から拡散部材３が重ね合わされ、この拡散部材３を例えば、ねじＳ等の固定手段によって本体１に取付けることにより、基板２１は、本体１と拡散部材３との間挟み込まれて押圧固定されるようになっている。」との記載及び【図５】の図示内容を根拠に、訂正前の「前記拡散部材の平坦部には、前記拡散部材を前記本体に取り付けるための固定手段が介在している」との記載を「前記拡散部材
は、第１の平坦部および第２の
おいて、ねじにより、
けられてい
（４）訂正事項３について 
　【図６】から、基板２１の内周側及び外周側に「切欠き」が形成されていることが看取できる。また、【図３】には、拡散部材３の上記「切欠き」と対応する位置にネジが示されている。そして、上記段落【００１３】の記載内容及び【図５】の図示内容を併せみると、基板には切欠きが形成されており、この切欠を挿通するねじにより、拡散部材は、本体に固定されることが理解できる。
　したがって、訂正事項３による訂正は、本件明細書等に記載された事項の範囲内において、「本体」に対する「拡散部材」の取付構造を限定するものであるから、特許請求の範囲の減縮を目的とするものであり、新規事項の追加に該当せず、また、実質上特許請求の範囲を拡張し、又は変更するものでもない。
（５）訂正事項４について 
　訂正事項４による訂正は、上記訂正事項１に係る訂正に伴い特許請求の範囲の記載と明細書の記載との整合を図るためのものであるから、明瞭でない記載の釈明を目的とするものであり、また、新規事項の追加に該当せず、実質上特許請求の範囲を拡張し、又は変更するものでもない。
３．小括  
　以上のとおりであるから、本件訂正は特許法第１２０条の５第２項ただし書第１号及び第３号に掲げる事項を目的とするものであり、かつ、同条第９項において準用する同法第１２６条第５項及び第６項の規定に適合するので、訂正後の請求項〔１〜３〕についての訂正を認める。 
  
第３　本件発明  
　上記「第２」で述べたとおり、本件訂正は認められるので、本件特許の請求項１〜３に係る発明（以下「本件発明１〜３」という。）は、訂正特許請求の範囲の請求項１〜３に記載された事項により特定される次のとおりのものである。  
「【請求項１】
　円形状の開口を有する円形状の本体と；  
　前記開口の内側に配設され、天井面に配設された配線器具と電気的かつ機械的に接続されるアダプタが係合される略円筒状の取付部と；  
　前記取付部を囲むように環状に一体的に形成され、複数の発光素子が前記取付部を中心とする略円周方向に実装された基板と；  
　環状に形成された拡散部材と；  
　前記発光素子を実装した基板及び拡散部材を含めた前記本体の前面側を覆う拡散性を備えたカバー部材と；  
　を有する照明器具において、  
　前記拡散部材は、前記基板に実装された複数の発光素子よりも内周側の前記略円周方向に連続して延在する第１の平坦部と当該複数の発光素子よりも外周側の前記略円周方向に連続して延在する第２の平坦部と、第１の平坦部および第２の平坦部の間に、断面形状が一定であって、前記複数の発光素子に対向するように前記略円周方向に連続して形成され、前記第１の平坦部および第２の平坦部よりも突出している突出部分とを有し、前記基板の前記複数の発光素子が実装されている側の面の全面を前面側から覆うように前記本体に固定されることを特徴とする照明器具。
【請求項２】
　前記拡散部材は、第１の平坦部および第２の平坦部において、ねじにより、前記本体に取り付けられていることを特徴とする請求項１に記載の照明器具。
【請求項３】
　前記基板には切欠きが形成されており、この切欠を挿通するねじにより、前記拡散部材は、前記本体に固定されることを特徴とする請求項２に記載の照明器具。」
  
第４　決定の予告に記載した取消理由について 
１．取消理由の概要  
［理由１］本件発明１〜３は、特許請求の範囲の記載が特許法第３６条第６項第２号に適合するものではない。よって、本件発明１〜３に係る特許は、同法第３６条第６項の規定にする要件を満たしていない特許出願に対してされたものであるから、同法第１１３条第４号の規定により取り消すべきものである。  
  
［理由２］本件発明１〜３に係る特許は、特許法第１７条の２第３項に規定する要件を満たしていない補正をした特許出願に対してされたものであるから、同法第１１３条第１号の規定により取り消すべきものである。  
  
［理由３］本件発明１〜３は、原出願の出願日前に頒布された以下の引用文献１〜５に記載された発明に基いて、その出願前にその発明の属する技術の分野における通常の知識を有する者が容易に発明をすることができたものであるから、特許法第２９条第２項の規定により特許を受けることができない。よって、本件発明１〜３に係る特許は、同法第２９条の規定に違反してされたものであるから、同法第１１３条第２号の規定により取り消すべきものである。  
  
［理由４］本件発明１〜３は、原出願の出願日前に頒布された以下の引用文献６に記載された発明であるから、特許法第２９条第１項第３号に該当し、特許を受けることができない。よって、本件発明１〜３に係る特許は、同法第２９条の規定に違反してされたものであるから、同法第１１３条第２号の規定により取り消すべきものである。 
  
［引用文献一覧］ 
・引用文献１：特開２０１０−４９８３０号公報（異議申立書人西村太一が
　　　　　　　提出した甲第１号証）　  
・引用文献２：特開２００２−３６７４０６号公報（異議申立書人西村太一
　　　　　　　が提出した甲第２号証）  
・引用文献３：特開２００４−７１５４４号公報（異議申立書人西村太一が
　　　　　　　提出した甲第３号証）  
・引用文献４：特開２００９−９９２６号公報（異議申立書人西村太一が提
　　　　　　　出した甲第４号証）  
・引用文献５：特開２００７−２１２７６４号公報（異議申立書人西村太一
　　　　　　　が提出した甲第５号証） 
・引用文献６：特開２０１０−３６８３号公報（異議申立書人梯京子が提出
　　　　　　　した甲第１号証）  
  
第５　当審の判断  
１．［理由１］（特許法第３６条第６項第２号）について  
（１）請求項１について  
ア．記載不備としての「請求項１には、『前記拡散部材は、前記複数の発光素子に対向して配設される拡散部及びこの拡散部の幅方向である前記基板の内周側及び外周側に連続して延在する平坦部を有し、前記基板の全面を前面側から覆うように前記本体に固定される』と記載されているが、『拡散部』及び『平坦部』の構成や配置が不明確であるから、『拡散部材』の構成を技術的に特定することができない。」との理由は、本件訂正の訂正事項１の訂正Ａ（第２　２．（２））により、請求項１における「円形状の本体」及び「複数の発光素子が実装された基板」が、「
円形状の開口を有する
前記取付部を囲むように
が前記取付部を中心とする略円周方向に
は、前
に実装された複数の発光素子よりも
の前記略円周方向に連続して延在する第１の平坦部と当該複数の発光素子よりも
の前記略円周方向に
第２の
と、第１の平坦部および第２の平坦部の間に、断面形状が一定であって、前記複数の発光素子に対向するように前記略円周方向に連続して形成され、前記第１の平坦部および第２の平坦部よりも突出している突出部分と
イ．記載不備としての「『基板の全面を前面側から覆う』との構成の『基板の全面』には、基板の裏面等も含まれるから、当該『基板の全面を前面側から覆う』との構成は技術的な意味が不明確である。」との理由は、本件訂正の訂正事項１の訂正Ｃ（第２　２．（２））により、「前記基板の全面を前面側から覆うように前記本体に固定される」との記載を「
前記基板の前記複数の発光素子が実装されている側の面の全面を前面側から覆うように前記本体に固定される
（２）請求項２について  
　記載不備としての「『前記拡散部材の平坦部には、前記拡散部材を前記本体に取り付けるための固定手段が介在している』と記載されているが、『固定手段が介在している』との構成は不明確である。」との理由は、本件訂正の訂正事項２により、「前記拡散部材
は、第１の平坦部および第２の
おいて、ねじにより、
けられてい
  
２．［理由２］（特許法第１７条の２第３項）について  
　理由２の骨子は、平成２９年５月２６日付けでした手続補正（以下「特許前補正」という。）により、（１）補正前の請求項１に「開口部を有する円形状の本体」とあったものを、補正後に「円形状の本体」とした補正、及び（２）補正後に請求項３として「前記基板には切欠きが形成されており、この切欠きを介して前記固定手段が配設されていることを特徴とする請求項１又は請求項２に記載の照明器具。」とした補正は、願書に最初に添付された明細書等（以下「当初明細書等」という。）に記載されているということはできず、また、当初明細書等のすべての記載を総合することにより導かれる技術的事項であるということもできないから、特許前補正は、当初明細書等に記載した事項の範囲内においてするものとはいえないというものである。
（１）について
　本件訂正の訂正事項１の訂正Ａ（第２　２．（２））により、「円形状の本体」を「
円形状の開口を有する
（２）について
　本件訂正の訂正事項３により、請求項３は「前記基板には切欠きが形成されており、この切欠
を挿通するねじにより、前記拡散部材は、前記本体に固定される
　当該訂正事項３は、上記第２　２．（３）で述べたように、当初明細書等に記載した事項の範囲内のものであって、新規事項の追加に当たらないから、取消理由は解消された。
  
３．［理由３］（特許法第２９条第２項）について  
（１）各引用文献の記載事項等  
ア．引用文献１
（ア）引用文献１の記載事項  
　引用文献１には、図面とともに次の記載がある。 
「【０００１】  
　本発明は室内の照明に利用されるＬＥＤ照明装置に関する。本発明のＬＥＤ照明装置は例えば従来のダウンライトと同様の目的（天井側から照明すること）に利用される。」  
  
「【００２２】  
　照明装置１は大別して筐体１０、実装基板２０、ＬＥＤ発光装置３０、コンデンサ等の電子部品４０、リフレクタ板５０、光拡散シート６０、レンズ板７０、及びカバー８０から構成される（図９）。
筐体１０は
円盤状の外形を有する
  
「【００２４】  
　
実装基板２０は
略円状に成形されている
実装基板２０にはＬＥＤ発光装置３０
が実装される
合計６個のＬＥＤ発光装置３０
正六角形の頂点位置
  
「【００２７】  
　
リフレクタ板５０は
６個の開口部５１を備える
各開口部５１の中心位置にＬＥＤ発光装置３０が配置される
  
「【００２９】  
　レンズ板７０はポリカーボネート樹脂製である。
レンズ板７０は平面視円形であり
　
レンズ板７０は６箇所のレンズ部７１を備える
リフレクタ板５０の開口部５１の直上にレンズ部７１が配置されることになる。レンズ部７１は正面側が凸レンズ形状である
  
「【００３４】  
　次に、照明装置１の照明態様を説明する。給電を受けてＬＥＤ発光装置３０が点灯状態になると、各ＬＥＤ発光装置３０からレンズ板７０に向かう白色光が生ずる。各ＬＥＤ発光装置３０が放射する光の一部はリフレクタ板５０が形成するリフレクタ面による反射を受けた後、レンズ板７０に向かう。このようなリフレクタ面の作用によって光の利用率が高められる。
レンズ板７０に向かった光は光拡散シート６０を通る際に拡散した後、レンズ板７０に入射する。レンズ板７０に入射した光はレンズ効果によってその方向性が調整され、所定の指向性をもつ光としてレンズ板７０から出射する。
  
「【実施例２】  
【００３６】  
　他の実施例である照明装置２を図１２〜１７に示す。図１２は照明装置２の正面図、図１３は同平面図、図１４は同斜視図（上段は正面側の斜視図、下段は裏面側の斜視図）、図１５及び１６は同断面図（順に図１２のＡ−Ａ線断面、Ｂ−Ｂ線断面）、図１７は同分解斜視図である。尚、
上記実施例と同一の部材・要素には同一の符合を付し、その説明を省略する。また、特に説明しない事項（例えば筐体の材質など）については照明装置１の場合と同様である
【００３７】  
　
照明装置２は
筐体１００、仕切板１１０、制御回路用の実装基板１２０、制御回路用の各種電子部品１２１、ＬＥＤ発光装置用の実装基板１３０、ＬＥＤ発光装置３０、リフレクタ板１４０、光拡散シート１５０、レンズ板１６０、及びカバー１７０から構成される
【００３８】  
　
実装基板１３０、リフレクタ板１４０、光反射シート１５０及びレンズ板１６０のそれぞれ中央にはこれらの部材を筐体１００に固定するためのネジ孔１３１、１４１、１５１、１６１が穿設されている。実装用基板１３０、リフレクタ板１４０、光反射シート１５０及びレンズ板１６０のその他の構成は細部（位置決め用の切り欠きや孔など）を除いて照明装置１の対応する部材と同様である
【００３９】  
　
カバー１７０は半透明の白色樹脂からなり、光を拡散する
カバー１７０を取り付けるとカバー１７０の内側にレンズ板１６０が完全に収容される
【００４０】  
　照明装置２は次のように組み立てられる。まず、筐体１００の収容部１０１に仕切板１１０を嵌め込む。次に電子部品１２１を実装した実装基板１２０を仕切板１１０の溝部１１１の中に載置する。溝部１１１の底部には、実装基板１２０の位置決めと位置ずれ防止のための保持部１１２が所定間隔で備えられている。続いて、ＬＥＤ発光装置３０を実装した実装基板１３０を収容部１０１に載置する。その後、リフレクタ板１４０及び光拡散シート１５０を順に位置調整しつつ積層した後、レンズ板１６０をリフレクタ板１４０に被せる。次に、
ネジ９０をレンズ板１６０の中央に設けられた孔１６１に挿通し、レンズ板１６０を筐体１００にネジ止めする
【００４１】  
　・・・  
【００４２】  
　
照明装置２の場合、レンズ板１６０を通った光がカバー１７０を介して外部に放射する。これによって眩しさの少ない、やわらかな照明光となる
　以上、二つの実施例を説明したが、以下に例示するように様々な変形や追加が可能である。」  
  
　また、引用文献１には、以下の図が示されている。  
  
（イ）引用文献１の認定事項   
　引用文献１には、照明装置１に係る【実施例１】と照明装置２に係る【実施例２】が記載されているところ、該照明装置２に係る【実施例２】の説明が始まる段落【００３６】には「上記実施例と同一の部材・要素には同一の符合を付し、その説明を省略する。また、特に説明しない事項（例えば筐体の材質など）については照明装置１の場合と同様である。」と記載され、段落【００３８】には「実装用基板１３０、リフレクタ板１４０、光反射シート１５０及びレンズ板１６０のその他の構成は細部（位置決め用の切り欠きや孔など）を除いて照明装置１の対応する部材と同様である。」と記載されているから、照明装置１の「筐体１０」、「実装基板２０」、「レンズ板７０」及び「レンズ部７１」の構成は、照明装置２の「筐体１００」、「実装基板１３０」、「レンズ板１６０」及び「レンズ部７１」の構成に該当するものといえる。
  
（ウ）引用文献１に記載された発明 
　上記（ア）及び（イ）によれば、引用文献１には、以下の発明（以下「引用発明」という。）が記載されているものと認められる。  
「筐体１００、仕切板１１０、制御回路用の実装基板１２０、制御回路用の各種電子部品１２１、ＬＥＤ発光装置用の実装基板１３０、ＬＥＤ発光装置３０、リフレクタ板１４０、光拡散シート１５０、レンズ板１６０、及びカバー１７０から構成される照明装置２であって、  
　筐体１００は円盤状の外形を有し、  
　実装基板１３０は略円状に成形され、合計６個のＬＥＤ発光装置３０が正六角形の頂点位置に実装され、  
　リフレクタ板１４０は６個の開口部５１を備え、各開口部５１の中心位置にＬＥＤ発光装置３０が配置され、  
　レンズ板１６０は平面視円形であり、６箇所のレンズ部７１を備え、リフレクタ板１４０の開口部５１の直上にレンズ部７１が配置され、レンズ部７１は正面側が凸レンズ形状であり、レンズ板１６０に向かった光は光拡散シート１５０を通る際に拡散した後、該レンズ板１６０に入射し、レンズ効果によってその方向性が調整され、所定の指向性をもつ光としてレンズ板１６０から出射し、  
　カバー１７０は半透明の白色樹脂からなり、光を拡散し、該カバー１７０を取り付けるとカバー１７０の内側にレンズ板１６０が完全に収容されるものであり、実装基板１３０、リフレクタ板１４０、光反射シート１５０及びレンズ板１６０のそれぞれ中央にはこれらの部材を筐体１００に固定するためのネジ孔１３１、１４１、１５１、１６１が穿設され、ネジ９０をレンズ板１６０の中央に設けられた孔１６１に挿通し、レンズ板１６０を筐体１００にネジ止めする照明装置２。」  
  
イ．引用文献２
　引用文献２には、図面とともに次の記載がある。
「【請求項１】　リング状発光源と、
ほぼ半円形の断面形状をしたリング状拡散板
　前記リング状発光源はリング状に配列した複数個のＬＥＤを備えており、
　
前記リング状拡散板は、その湾曲状内周面に前記リング状発光源からの光が直接に照射するように配置されている
【請求項２】　請求項１において、
　
前記リング状発光源はリング状ＬＥＤ基板を備え、このリング状ＬＥＤ基板の表面に、前記ＬＥＤが所定の間隔で、半径方向および円周方向に配列されている
【請求項３】　請求項１または２において、
　放熱性のリング状本体板を有し、
　前記リング状ＬＥＤ基板はその裏面に導電性パターンが除去された露出部分を備え、
　この露出部分が前記リング状本体板に密着した状態で、前記リング状ＬＥＤ基板は当該リング状本体板に取り付けられていることを特徴とするリング状ＬＥＤ照明装置。」　
ウ．引用文献３
　引用文献３には、図面とともに次の記載がある。
「【請求項１】切頭円錐形状の発光体装着面を有しその
発光体装着面上に複数の発光体を装着してなる発光体装着部材
・・・
【請求項５】
前記発光体装着部材が、厚み方向に湾曲可能であって一部に切り欠きを有した円環状のプリント基板
エ．引用文献４
　引用文献４には、図面とともに次の記載がある。
「【請求項１】
円環状のレンズ本体、このレンズ本体の軸方向一端面に形成された環状溝、このレンズ本体の少なくとも外周側の内側面に形成されてこの内側面に入射された光を投光面側へ全反射させる全反射面を有する円環状レンズ
　この
円環状レンズの環状溝に光学的に対向配置されてこの環状溝の周方向に所要の間隔を置いて配置された複数の発光ダイオード装置
を具備していることを特徴とする発光ダイオード照明装置。」
オ．引用文献５
　引用文献５には、図面とともに次の記載がある。
「【請求項１】
　
円環状の基板と、前記基板の一表面に設けられた複数のＬＥＤと、を有するリングライトにおいて
　第１間隔をあけて一列に周方向に配置された前記ＬＥＤからなる第１ＬＥＤ群と、
　前記第１ＬＥＤ群の内周側において第２間隔をあけて一列に周方向に配置された前記ＬＥＤからなる第２ＬＥＤ群と、
　
前記両ＬＥＤ群に属するＬＥＤから照射された光を拡散する円環状の拡散板
　前記第１ＬＥＤ群のＬＥＤの個数と、前記第２ＬＥＤ群のＬＥＤの個数とは同一であり
、前記第１のＬＥＤ群のＬＥＤは、前記第２のＬＥＤ群の隣り合う２つのＬＥＤの間に配
置され、
　前記拡散板は、前記第１ＬＥＤ群の隣り合う２つのＬＥＤから照射される光の重なる領域である第１重複領域と、前記第２ＬＥＤ群の隣り合う２つのＬＥＤから照射される光の重なる領域である第２重複領域とにわたって設置される、
　ことを特徴とするリングライト。」
（２）対比・判断  
（２−１）本件発明１について  
ア．対比  
　本件発明１と引用発明とを対比する。  
（ア）後者の「円盤状の外形を有」する「筐体１００」と、前者の「円形状の開口を有する円形状の本体」とは、「円形状の本体」の限度で共通する。  
（イ）後者の「合計６個のＬＥＤ発光装置３０」は前者の「複数の発光素子」に相当し、「合計６個のＬＥＤ発光装置３０が正六角形の頂点位置に実装され」る構成は、【図１７】を参照すると、合計６個のＬＥＤ発光装置３０が略円周方向に実装される構成といえるものであり、同じく【図１７】を参照すると、基板１３０は、一体的に形成されることは明らかであるから、後者の「略円状に成形され、合計６個のＬＥＤ発光装置３０が正六角形の頂点位置に実装され」る「実装基板１３０」と、前者の「前記取付部を囲むように環状に一体的に形成され、複数の発光素子が前記取付部を中心とする略円周方向に実装された基板」とは、「一体的に形成され、複数の発光素子が略円周方向に実装された基板」の限度で共通する。  
（ウ）後者の「平面視円形であ」り、「レンズ効果によってその方向性が調整され、所定の指向性をもつ光として」「出射」する「レンズ板１６０」と、前者の「環状に形成された拡散部材」とは、「円形に形成された光学部材」という限度で共通する。  
（エ）後者の「半透明の白色樹脂からなり、光を拡散し、」「内側にレンズ板１６０が完全に収容される」「カバー１７０」は、【図１７】を参照すると、実装基板１３０及びレンズ板１６０を含めた筐体１００の前面側を覆っていることは明らかであるから、前者の「前記発光素子を実装した基板及び拡散部材を含めた前記本体の前面側を覆う拡散性を備えたカバー部材」とは、「前記発光素子を実装した基板及び光学部材を含めた前記本体の前面側を覆う拡散性を備えたカバー部材」の限度で共通し、後者の「照明装置２」は前者の「照明器具」に相当する。  
（オ）後者の「レンズ板１６０」の構成に関し、後者の「レンズ部７１」は突出部分といえるところ、後者は「リフレクタ板１４０は６個の開口部５１を備え、各開口部５１の中心位置にＬＥＤ発光装置３０が配置され、」「リフレクタ板１４０の開口部５１の直上にレンズ部７１が配置され」ているから、後者の該「レンズ部７１」は「ＬＥＤ発光装置３０」に対向して配設されているといえる。また、【図１７】を参照すると、後者の「６箇所のレンズ部７１」は周方向に配列されていて、その内周側及び外周側に連続して延在する平坦部を有していることが看取できるところ、該内周側及び外周側に連続して延在する平坦部は、前者の「前記基板に実装された複数の発光素子よりも内周側の前記略円周方向に連続して延在する第１の平坦部と当該複数の発光素子よりも外周側の前記略円周方向に連続して延在する第２の平坦部」に相当する。さらに、同じく【図１７】を参照すると、内周側及び外周側に連続して延在する平坦部の間に、前記内周側及び外周側に連続して延在する平坦部よりも突出している「レンズ部７１」を有しているといえるから、後者のかかる「レンズ部７１」と前者の「第１の平坦部および第２の平坦部の間に、断面形状が一定であって、前記複数の発光素子に対向するように前記略円周方向に連続して形成され、前記第１の平坦部および第２の平坦部よりも突出している突出部分」とは、「第１の平坦部および第２の平坦部の間に、前記複数の発光素子に対向するように形成され、前記第１の平坦部および第２の平坦部よりも突出している突出部分」の限度で共通する。さらにまた、同じく【図１７】を参照すると、後者の「レンズ板１６０」は、実装基板１３０の合計６個のＬＥＤ発光装置３０が実装されている側の面の全面を前面側から覆うように筐体１００に固定されていることは明らかであるから、後者のかかる「レンズ板１６０」と、前者の「前記基板の前記複数の発光素子が実装されている側の面の全面を前面側から覆うように前記本体に固定される」「拡散部材」とは、「前記基板の前記複数の発光素子が実装されている側の面の全面を前面側から覆うように前記本体に固定される」「光学部材」の限度で共通する。
　そうすると、後者のかかる「レンズ板１６０」の構成と前者の「拡散部材は、前記基板に実装された複数の発光素子よりも内周側の前記略円周方向に連続して延在する第１の平坦部と当該複数の発光素子よりも外周側の前記略円周方向に連続して延在する第２の平坦部と、第１の平坦部および第２の平坦部の間に、断面形状が一定であって、前記複数の発光素子に対向するように前記略円周方向に連続して形成され、前記第１の平坦部および第２の平坦部よりも突出している突出部分とを有し、前記基板の前記複数の発光素子が実装されている側の面の全面を前面側から覆うように前記本体に固定される」構成とは、「光学部材は、前記基板に実装された複数の発光素子よりも内周側の前記略円周方向に連続して延在する第１の平坦部と当該複数の発光素子よりも外周側の前記略円周方向に連続して延在する第２の平坦部と、第１の平坦部および第２の平坦部の間に、前記複数の発光素子に対向するように形成され、前記第１の平坦部および第２の平坦部よりも突出している突出部分とを有し、前記基板の前記複数の発光素子が実装されている側の面の全面を前面側から覆うように前記本体に固定される」構成の限度で共通する。  
　  
　以上によれば、本件発明１と引用発明とは、  
「円形状の本体と；  
　一体的に形成され、複数の発光素子が略円周方向に実装された基板と；  
　円形に形成された光学部材と；  
　前記発光素子を実装した基板及び光学部材を含めた前記本体の前面側を覆う拡散性を備えたカバー部材と；  
　を有する照明器具において、  
　前記光学部材は、前記基板に実装された複数の発光素子よりも内周側の前記略円周方向に連続して延在する第１の平坦部と当該複数の発光素子よりも外周側の前記略円周方向に連続して延在する第２の平坦部と、第１の平坦部および第２の平坦部の間に、前記複数の発光素子に対向するように形成され、前記第１の平坦部および第２の平坦部よりも突出している突出部分とを有し、前記基板の前記複数の発光素子が実装されている側の面の全面を前面側から覆うように前記本体に固定される照明器具。」の点で一致し、以下の点で相違する。  
  
＜相違点１＞  
　本件発明１は、「
円形状の開口を有する
前記開口の内側に配設され、天井面に配設された配線器具と電気的かつ機械的に接続されるアダプタが係合される略円筒状の取付部
前記取付部を囲むように環状に
前記取付部を中心とする
　引用発明は、「筐体１００」は
円形状の開口を有する
取付部
前記取付部を囲むように環状に
前記取付部を中心とする
＜相違点２＞  
　「光学部材」に関し、  
　本件発明１は、「
拡散
環状に
断面形状が一定であって
前記略円周方向に連続して
  引用発明は、「レンズ板１６０」であり、「レンズ効果によってその方向性が調整され、所定の指向性をもつ光として」「出射」するものであるから、
拡散
断面形状が一定であって
前記略円周方向に連続して
 
イ．判断  
 （ア）事案に鑑み上記相違点２について検討する。  
　上記（１）イ．及びオ．の記載事項によれば、引用文献２及び５には、本件発明１の「環状に形成された拡散部材」に相当する、引用文献２の「リング状拡散板」及び引用文献５の「円環状拡散板」が記載されているといえるが、該引用文献２の「リング状拡散板」及び引用文献５の「円環状拡散板」は、本件発明１の「第１の平坦部および第２の平坦部」の構成を有していない。また、引用文献４の「円環状レンズ」は、光を拡散させるものでないし、本件発明１の「第１の平坦部および第２の平坦部」の構成を有していない。
　そうすると、引用発明の「レンズ板１６０」の構成に代えて、当該引用文献２の「リング状拡散板」、引用文献４の「円環状レンズ」、及び引用文献５の「円環状拡散板」の構成を採用しても、本件発明１の「第１の平坦部および第２の平坦部」と「突出部分」を有する「拡散部材」の構成には至らない。
　また、引用発明の「６箇所の正面側が凸レンズ形状であるレンズ部７１」は「レンズ効果によってその方向性が調整され、所定の指向性をもつ光として」「出射」するものであって、上記引用文献２の「リング状拡散板」及び引用文献５の「円環状拡散板」の各々有する拡散する機能とは異にするものであるから、引用発明の「レンズ板１６０」の「レンズ部７１」だけを取り出して、該「レンズ部７１」に代えて、当該引用文献２の「リング状拡散板」及び引用文献５の「円環状拡散板」の構成を採用する動機付けは存在しない。また、引用文献４の「円環状レンズ」は、「円環状のレンズ本体、このレンズ本体の軸方向一端面に形成された環状溝、このレンズ本体の少なくとも外周側の内側面に形成されてこの内側面に入射された光を投光面側へ全反射させる全反射面を有する円環状レンズ」（【請求項１】）であり、引用発明の「レンズ板１６０」とは、レンズの構成及び機能を異にするものであるから、引用発明の「レンズ板１６０」の「レンズ部７１」だけを取り出して、該「レンズ部７１」に代えて、当該引用文献４の「円環状レンズ」の構成を採用する動機付けは存在しない。
　よって、上記相違点２に係る本件発明１の構成が当業者にとって容易想到であるということはできない。 
　なお、甲第３号証（（１）ウ．）は、本件発明１の「円形状の開口を有する円形状の本体」に関する技術を例示するものであり、上記相違点２に係る本件発明１の構成に関する技術を開示するものではない。 
ウ．小括  
　以上のとおりであるから、本件発明１は、上記相違点１を検討するまでもなく、引用発明及び引用文献２〜５に記載された発明に基いて当業者が容易に発明をすることができたものということはできない。  
（２−２）本件発明２、３について  
　本件発明２、３は、本件発明１の発明特定事項を全て含み、さらに限定して発明を特定したものであるから、本件発明１と同様に、当業者が容易に発明をすることができたとはいえない。 
４．［理由４］（特許法第２９条第１項第３号）について 
（１）引用文献の記載事項等  
ア．引用文献６の記載事項
　引用文献６には、図面とともに次の記載がある。  
「【０００１】  
　本発明は、ＬＥＤ（発光ダイオード）のような
発光素子を光源に使用した照明灯（ランプ）
  
「【００２６】
【図１】第１実施形態を示す図で、（ａ）は縦断面図、（ｂ）は（ａ）のＩｂ−Ｉｂ線矢視断面図、（ｃ）は要部の分解斜視図である。
【図２】（ａ）はコネクタ近傍の斜視図、（ｂ）は連結式光源ユニットの側面図、（ｃ）は単一で長い光源ユニットの側面図である。
【図３】（ａ）は複数の照明灯を直列に配置した状態の側面図、（ｂ）は照明灯を平面視多角形に構成した状態の平面図、（ｃ）は照明灯を天井設置式照明装置に適用した状態の斜視図である。
【図４】第１実施形態に係るカバー部材の変形例である第２〜第８実施形態を示す図である。
【図５】円環状照明灯に適用した第９実施形態を示す図で、（ａ）は平面図、（ｂ）は（ａ）のＶｂ−Ｖｂ視断面図である。
【図６】第１０実施形態を示す図で、（ａ）は縦断面図、（ｂ）は照明灯を直列配置した状態の側面図である。
【図７】第１１実施形態を示す図で、（ａ）は縦断面図、（ｂ）は（ａ）のＶＩＩｂ−ＶＩＩｂ線矢視図、（ｃ）は（ａ）のＶＩＩｃ−ＶＩＩｃ線矢視断面図、（ｄ）は要部の分解斜視図、（ｅ）は導光体の外周面の模式的拡大図である。
【図８】第１２実施形態を示す図で、（ａ）は平面図（天井に設置した状態であると底面図）、（ｂ）は正面図、（ｃ）は側面図、（ｄ）は底面図である。
【図９】第１２実施形態の分離斜視図である。
【図１０】（ａ）は第１２実施形態の一部破断分離正面図、（ｂ）はエンドコネクタの正面図、（ｃ）は別例の一部破断部分正面図である。
【図１１】（ａ）は反射板の平面図、（ｂ）は照明灯を（ａ）のｂ−ｂ視線に沿って切った断面図、（ｃ）は（ｂ）の部分拡大図、（ｄ）は（ｂ）及び（ｃ）に表示している取付け補助具の斜視図、（ｅ）は取付け補助具の部分側面図である。
【図１２】第１２実施形態の変形例である第１３実施形態を示す図で、（ａ）は分離正面図、（ｂ）は（ａ）のｂ−ｂ視断面図、（ｃ）は（ａ）のｃ−ｃ視断面図、（ｄ）は（ａ）のｄ−ｄ視断面図、（ｅ）は端部の斜視図である。」
「【００３６】
　主カバー体１０ａ，補助カバー体１０ｂ，第１キャップ体１７及び第２キャップ体１８はいずれも合成樹脂製であり、主カバー体１０ａと補助カバー体１０ｂとは押し出し成形品を使用している。
主カバー体１０ａは
乳白色
「【００６８】  
　(3).第９実施形態（図５）  
　第９実施形態として示すように、
カバー部材１０は円環状（リング状）に形成することも可能である
【００６９】  
　
カバー部材１０は、光源ユニット１３をＬＥＤ１２が実装された側から覆う主カバー体１０ａ
と、ＬＥＤ１２と反対側から覆う補助カバー体１０ｂ
とで中空に構成されている
【００７０】  
　図５（ｂ）に示すように、主カバー体１５と補助カバー体１６とは略Ｕ字状（或いは半円状）の断面形状であり、開口端を互いに重ね合わせることで全体として中空の形態を成している。  
　そして、
主カバー体１０ａと補助カバー体１０ｂとの重なり合う部分に嵌合溝３１ａが形成されている
　
光源ユニット１３の回路基板１１は、１枚の回路基板によって平面視リング状に形成し
光源ユニット１３はカバー部材１０の円周上の１箇所に設けられた接続部６に電気的に接続されていて、この接続部６に電源コネクタ７が差し込まれることでＬＥＤ１２に給電されている
【００７２】  
　
補助カバー体１０ｂのうち主カバー体１０ａと対向する面には、嵌合溝３１ａと成る段部が形成され
補助カバー体１０ｂと主カバー体１０ａとをねじ１９で固定するで、補助カバー体１０ｂと主カバー体１０ａとの間に光源ユニット１３が挟持される
【００７３】  
　ここでは、図５（ｂ）に示すように、
主カバー体１０ａと光源ユニット１３との間には湾曲した断面形状の拡散板２５が配置されていて、拡散板２５の両側縁も光源ユニット１３と重なった状態で嵌合溝３１ａに嵌まっている
【００７４】  
　この実施形態でも、光源ユニット１３は、その全長に亙って主カバー体１０ａと補助カバー体１０ｂとで挟持されるため、安定的に保持される。また、光源ユニット１３は主カバー体１０ａと補助カバー体１０ｂとの組み付けに際して簡単にセットできる。この環状のカバー部材１０の構成は、図４（ａ），（ｃ），（ｄ），（ｅ）の実施形態に適用することも可能である。また、図４（ｂ），（ｆ），（ｇ）の例を第９実施形態のように２つのカバー体で構成することに適用しても良い。」  
  
　引用文献６には、以下の図が示されている。  
【図５】  
  
  
  
イ．引用文献６の認定事項   
　【図５】（ａ）から、回路基板１１は複数のＬＥＤ１２を実装していること、及び拡散板２５が円環状であることが看取できる。  
  
ウ．引用文献６に記載された発明  
　上記（１）及び（２）によれば、引用文献６には、以下の発明（以下「引用発明６」という。）が記載されているものと認められる。  
「カバー部材１０は円環状に形成され、光源ユニット１３をＬＥＤ１２が実装された側から覆う乳白色の主カバー体１０ａと、ＬＥＤ１２と反対側から覆う補助カバー体１０ｂとで中空に構成され、  
　光源ユニット１３の回路基板１１は複数のＬＥＤ１２を実装し、１枚の回路基板によって平面視リング状に形成され、光源ユニット１３はカバー部材１０の円周上の１箇所に設けられた接続部６に電気的に接続されていて、この接続部６に電源コネクタ７が差し込まれることでＬＥＤ１２に給電され、
  主カバー体１０ａと補助カバー体１０ｂとの重なり合う部分に嵌合溝３１ａが形成され、  
　主カバー体１０ａと光源ユニット１３との間には湾曲した断面形状の円環状の拡散板２５が配置されていて、拡散板２５の両側縁も光源ユニット１３と重なった状態で嵌合溝３１ａに嵌まっており、  
　補助カバー体１０ｂと主カバー体１０ａとをねじ１９で固定することで、補助カバー体１０ｂと主カバー体１０ａとの間に光源ユニット１３が挟持されている発光素子を光源に使用した照明灯。」  
  
（２）対比・判断  
（２−１）本件発明１について  
ア．対比  
　本件発明１と引用発明６とを対比する。  
（ア）後者の「カバー部材１０は円環状に形成され」ているところ、「カバー部材１０」を構成する「補助カバー体１０ｂ」も円環状に形成されているといえることから、後者の「補助カバー体１０ｂ」は前者の「円形状の開口を有する円形状の本体」に相当する。  
（イ）後者の「複数のＬＥＤ１２」は、前者の「複数の発光素子」に相当し、後者の「複数のＬＥＤ１２を実装し、１枚の回路基板によって平面視リング状に形成され」ている「光源ユニット１３の回路基板１１」と、前者の「前記取付部を囲むように環状に一体的に形成され、複数の発光素子が前記取付部を中心とする略円周方向に実装された基板」とは、「環状に一体的に形成され、複数の発光素子が略円周方向に実装された基板」の限度で共通する。  
（ウ）後者の「円環状の拡散板２５」は前者の「環状に形成された拡散部材」に相当する。
（エ）後者の「光源ユニット１３を複数のＬＥＤ１２が実装された側から覆う乳白色の主カバー体１０ａ」は、【図５】（ｂ）を参照すると「拡散板２５」を含めた「補助カバー体１０ｂ」の前面側を覆っていることが看取できるから、前者の「前記発光素子を実装した基板及び拡散部材を含めた前記本体の前面側を覆う拡散性を備えたカバー部材」に相当する。  
（オ）後者の「発光素子を光源に使用した照明灯」は前者の「照明器具」に相当する。  
（カ）後者の「拡散板２５」は、【図５】（ａ）（ｂ）を参照すると、断面形状が一定であって、複数のＬＥＤ１２に対向するように略円周方向に連続して形成され、回路基板１１の前記複数のＬＥＤ１２が実装されている側の面の全面を前面側から覆うように補助カバー体１０ｂに固定されることは明らかであるから、後者の「主カバー体１０ａと補助カバー体１０ｂとの重なり合う部分に嵌合溝３１ａが形成され、主カバー体１０ａと光源ユニット１３との間には湾曲した断面形状の円環状の拡散板２５が配置されていて、拡散板２５の両側縁も光源ユニット１３と重なった状態で嵌合溝３１ａに嵌まっており、補助カバー体１０ｂと主カバー体１０ａとをねじ１９で固定することで、補助カバー体１０ｂと主カバー体１０ａとの間に光源ユニット１３が挟持されている」構成と、前者の「前記拡散部材は、前記基板に実装された複数の発光素子よりも内周側の前記略円周方向に連続して延在する第１の平坦部と当該複数の発光素子よりも外周側の前記略円周方向に連続して延在する第２の平坦部と、第１の平坦部および第２の平坦部の間に、断面形状が一定であって、前記複数の発光素子に対向するように前記略円周方向に連続して形成され、前記第１の平坦部および第２の平坦部よりも突出している突出部分とを有し、前記基板の前記複数の発光素子が実装されている側の面の全面を前面側から覆うように前記本体に固定される」構成とは、「前記拡散部材は、断面形状が一定であって、前記複数の発光素子に対向するように前記略円周方向に連続して形成され、前記基板の前記複数の発光素子が実装されている側の面の全面を前面側から覆うように前記本体に固定される」構成の限度で共通する。
　以上によれば、本件発明１と引用発明６とは、  
「円形状の開口を有する円形状の本体と；  
　環状に一体的に形成され、複数の発光素子が略円周方向に実装された基板と；  
　環状に形成された拡散部材と；  
　前記発光素子を実装した基板及び拡散部材を含めた前記本体の前面側を覆う拡散性を備えたカバー部材と；  
　を有する照明器具において、  
　前記拡散部材は、断面形状が一定であって、前記複数の発光素子に対向するように前記略円周方向に連続して形成され、前記基板の前記複数の発光素子が実装されている側の面の全面を前面側から覆うように前記本体に固定される照明器具。」の点で一致し、以下の点で相違する。  
 
＜相違点１’＞  
　本件発明１は、「
前記開口の内側に配設され、天井面に配設された配線器具と電気的かつ機械的に接続されるアダプタが係合される略円筒状の取付部と；前記開口の内側に配設され、天井面に配設された配線器具と電気的かつ機械的に接続されるアダプタが係合される略円筒状の取付部
前記取付部を囲むように
前記取付部を中心とする
　引用発明６は、かかる「
取付部
前記取付部を囲むように
前記取付部を中心とする
＜相違点２’＞  
　「拡散部材」に関し、
　本件発明１は、「前記基板に実装された複数の発光素子よりも内周側の前記略円周方向に連続して延在する第１の平坦部と当該複数の発光素子よりも外周側の前記略円周方向に連続して延在する第２の平坦部と、第１の平坦部および第２の平坦部の間に、」「前記第１の平坦部および第２の平坦部よりも突出している突出部分」を有する構成であるのに対し、
　引用発明６は、「主カバー体１０ａと補助カバー体１０ｂとの重なり合う部分に嵌合溝３１ａが形成され、主カバー体１０ａと光源ユニット１３との間には湾曲した断面形状の円環状の拡散板２５が配置されていて、拡散板２５の両側縁も光源ユニット１３と重なった状態で嵌合溝３１ａに嵌まっており」との構成である点。
イ．小括  
　以上のとおり、本件発明１と引用発明６とは、上記相違点１’及び２’が存在するから、本件発明１は引用発明６とはいえない。  
　
（２−２）本件発明２、３について 　 
　本件発明２、３は、本件発明１の発明特定事項を全て含み、さらに限定して発明を特定したものであるから、本件発明１と同様に、引用発明６とはいえない。
第６　取消理由通知において採用しなかった特許異議申立理由について 
１．本件取消理由において採用しなかった特許異議申立理由の要旨は、次のとおりである。
（１）特許異議申立人西村太一からの特許異議の申立について
（１−１）申立理由１（特許法第３６条第６項第１号）
　請求項１〜３に係る特許ついて
　請求項１〜３に係る発明は、段落【００２４】の「略サークル状の内周側部分と外周側部分とに発光素子２２に対向して円周方向に２条の山形であって、断面形状が一定の突条部３１が連続して形成されている。この突条部３１の内側には、Ｕ字状の溝３２が円周方向に沿って連続して形成されている。」との事項、及び段落【００４２】の「拡散部材３とカバー部材７との間の距離は、２０〜６０ｍｍ・・・に設定されている。」との事項を発明特定事項とすることなく目的を達成しようとするものであるから、発明の詳細な説明に記載されたものではない。（特許異議申立書の３．（４）ア）
（１−２）申立理由２（特許法第１７条の２第３項）
　請求項１〜３に係る特許について
　当初明細書等には、「複数の発光素子を取付部の周囲に配置したもの」以外の配置の照明器具は記載されておらず、また、「突条部」以外の「拡散部」は記載されていないから、特許前補正は、当初明細書等に記載した事項の範囲内においてしたものではない。（特許異議申立書の３．（４）ウ）
（２）特許異議申立人梯京子からの特許異議の申立について
　上記申立理由１及び２以外の、取消理由通知において採用しなかった申立理由は次のとおりである。
（２−１）申立理由３（特許法第３６条第４項第１号）
　請求項１〜３に係る特許について
　発明の詳細な説明には、「突条部」及び「平坦部」は記載されているが、「拡散部」の記載はないから、発明の詳細な説明の記載は、当業者が本件発明の実施をすることができる程度に明確かつ十分に記載したものでない。（特許異議申立書の３（４）イ（ア））
（２−２）申立理由４（特許法第３６条第６項第１号）
　請求項２、３に係る特許について
　発明の詳細な説明には、請求項２の「介在」、請求項３の「切欠き」との用語は記載されていないから、発明の詳細な説明に記載されたものではない。（特許異議申立書の３（２）、（３）及び（４）イ（イ））
（２−３）申立理由５及び６（特許法第２９条第２項）
（２−３−１）申立理由５
　請求項１〜３に係る発明は、原出願の出願日前に頒布された以下の甲第１号証〜甲第７号証に記載された発明に基いて、その出願前にその発明の属する技術の分野における通常の知識を有する者が容易に発明をすることができたものであるから、特許法第２９条第２項の規定により特許を受けることができない。（特許異議申立書の３（４）ウ（ア）〜（ウ））
（２−３−２）申立理由６
　請求項１〜３に係る発明は、原出願の出願日前に頒布された以下の甲第６号証、甲第１号証〜甲第５号証、及び甲第７号証に記載された発明に基いて、その出願前にその発明の属する技術の分野における通常の知識を有する者が容易に発明をすることができたものであるから、特許法第２９条第２項の規定により特許を受けることができない。（特許異議申立書の３（４）ウ（エ））
［各甲号証一覧］
・甲第１号証：特開２０１０−３６８３号公報（決定の予告の引用文献６）
・甲第２号証：特開２００８−１０４３５号公報
・甲第３号証：特開２０１０−４９８３０号公報（決定の予告の引用文献１
　　　　　　　）
・甲第４号証：特開２００２−１０９９１２号公報
・甲第５号証：特開２００２−３６７４０６号公報（決定の予告の引用文献
　　　　　　　２）
・甲第６号証：登録実用新案第３１５４７６１号公報
・甲第７号証：特開２００８−１２４００８号公報
２．検討 
（１）申立理由１（特許法第３６条第６項第１号）について 
　本件発明１の「拡散部材」は、「前記基板に実装された複数の発光素子よりも内周側の前記略円周方向に連続して延在する第１の平坦部と当該複数の発光素子よりも外周側の前記略円周方向に連続して延在する第２の平坦部と、第１の平坦部および第２の平坦部の間に、
断面形状が一定であって、前記複数の発光素子に対向するように前記略円周方向に連続して形成され、前記第１の平坦部および第２の平坦部よりも突出している突出部分
　「突出部分」を内周側部分と外周側部分とに２条形成すること、該「突出部分」の内側に、Ｕ字状の溝３２が円周方向に沿って連続して形成されていること、及び拡散部材とカバー部材との間の距離は、２０〜６０ｍｍに設定することは、本件発明１の課題である、「複数の発光素子を取付部の周囲に配置したものにおいて、照射光の均斉度の向上を図ることが可能な照明器具を提供すること」（段落【０００７】）を達成する上で、必須の構成とは認められない。
　したがって、本件発明１〜３は、発明の詳細な説明に記載されたものではないとはいえない。
　よって、申立理由１によって、本件請求項１〜３に係る特許を取り消すことはできない。 
（２）申立理由２（特許法第１７条の２第３項）について 
　本件発明１〜３は、「前記取付部を囲むように環状に一体的に形成され、
複数の発光素子が前記取付部を中心とする略円周方向に実装
　よって、申立理由２によって、本件請求項１〜３に係る特許を取り消すことはできない。
（３）申立理由３（特許法第３６条第４項第１号）について 
　本件発明１〜３は、「突条部」に対応する「突出部分」並びに「平坦部」に対応する「第１の平坦部」及び「第２の平坦部」を発明特定事項として含むものである。そして、かかる「突条部」及び「平坦部」は、本件明細書の段落【００２４】及び段落【００２５】等に説明されているから、発明の詳細な説明の記載が、本件発明１〜３を当業者が実施をすることができる程度に明確かつ十分に記載したものでないとはいえない。
　よって、申立理由３によって、本件請求項１〜３に係る特許を取り消すことはできない。
（４）申立理由４（特許法第３６条第６項第１号）について 
　請求項２に「介在」との用語は存在しない。また、請求項３の「前記基板には切欠きが形成されており、この切欠を挿通するねじにより、前記拡散部材は、前記本体に固定されること」は、上記「第２　２．（３）」で述べたように、本件明細書等の記載に記載されているものと認められる。
　よって、申立理由４によって、本件請求項１〜３に係る特許を取り消すことはできない。
（５）申立理由５（特許法第２９条第２項）について 
（５−１）本件発明１について  
　甲第１号証は、上記「第４　１．」で記載した引用文献６であるから、甲第１号証には、上記「第５　４．（１）ウ．」のとおりの発明（以下「甲１発明」という。）が記載され、上記「第５　４．（２）（２−１）ア．対比」で述べた一致点及び相違点があるところ、その相違点は、以下のとおりである。  
＜相違点１’＞  
　本件発明１は、「
前記開口の内側に配設され、天井面に配設された配線器具と電気的かつ機械的に接続されるアダプタが係合される略円筒状の取付部と；前記開口の内側に配設され、天井面に配設された配線器具と電気的かつ機械的に接続されるアダプタが係合される略円筒状の取付部
前記取付部を囲むように
前記取付部を中心とする
　甲１発明は、かかる「
取付部
前記取付部を囲むように
前記取付部を中心とする
＜相違点２’＞  
　「拡散部材」に関し、
　本件発明１は、「前記基板に実装された複数の発光素子よりも内周側の前記略円周方向に連続して延在する第１の平坦部と当該複数の発光素子よりも外周側の前記略円周方向に連続して延在する第２の平坦部と、第１の平坦部および第２の平坦部の間に、」「前記第１の平坦部および第２の平坦部よりも突出している突出部分」を有する構成であるのに対し、
　甲１発明は、「主カバー体１０ａと補助カバー体１０ｂとの重なり合う部分に嵌合溝３１ａが形成され、主カバー体１０ａと光源ユニット１３との間には湾曲した断面形状の円環状の拡散板２５が配置されていて、拡散板２５の両側縁も光源ユニット１３と重なった状態で嵌合溝３１ａに嵌まっており」との構成である点。
ア．判断
　上記相違点１’について検討する。 
（ア）甲１発明の課題は、甲第１号証の段落【０００８】に記載されるように「ＬＥＤは点光源であるため、蛍光灯方式の細長い照明灯に適用するとＬＥＤがポツポツと見えて人に違和感を与える問題がある。」といことを解決するものであり、蛍光灯方式の細長い照明灯に適用することを前提としたものである。
　そうすると、本件発明１の「円形状の開口を有する円形状の本体」に相当する甲１発明の「円環状に形成され」た「補助カバー体１０ｂ」の構成において、「補助カバー体１０ｂ」の開口の内側に配設され、天井面に配設された配線器具と電気的かつ機械的に接続されるアダプタが係合される略円筒状の取付部を有する構成にする動機付けは存在しない。
　
（イ）特許異議申立人梯京子は、平成３１年２月２２日に提出された意見書の１６ページにおいて、天井面に配設された配線器具と電気的かつ機械的に接続されるアダプタが係合される略円筒状の取付部を有することは、甲第４号証、甲第７号証に記載されたとおり周知の技術にすぎない旨述べているが、上記（ア）のとおり、甲１発明には、「補助カバー体１０ｂ」の開口の内側に、取付部を有する構成にする動機付けが存在しないのだから、甲１発明と当該周知技術に基づいて、甲１発明において、上記相違点１’に係る本件発明１の構成が当業者にとって容易想到であるということはできない。 
　なお、甲第２号証、甲第３号証、及び甲第６号証は、本件訂正前の「円形状の本体」に関する技術を開示するたの証拠であり、甲第５号証は、本件発明１の「拡散部材」に関する技術を開示するたの証拠であって、上記相違点１’に係る本件発明１の構成に関する技術を開示するものではない。 
（ウ）以上のとおりであるから、本件発明１は、上記相違点２’を検討するまでもなく、甲１発明及び甲第２号証〜甲第７号証に記載された発明に基いて当業者が容易に発明をすることができたものということはできない。
（５−２）本件発明２、３について  
　本件発明２、３は、本件発明１の発明特定事項を全て含み、さらに限定して発明を特定したものであるから、本件発明１と同様に、当業者が容易に発明をすることができたとはいえない。 
（５−３）小括  
　よって、申立理由５によって、本件請求項１〜３に係る特許を取り消すことはできない。
（５）申立理由６（特許法第２９条第２項）について 
ア．甲号証の記載事項等
（ア）甲第６号証の記載事項
　甲第６号証には、図面とともに次の記載がある。
「【請求項１】
　
主として、
アルミニウム金属材質からなり、底板があり、底板の周縁から上へ周壁が延び、底板の中心に、固定枠が設けられる灯座と、
　上記灯座に嵌設され、中心に、開口が形成される灯笠と、
　脱着自在に灯座の底板に設置され、各ＬＥＤ発光モジュールに、基板と、基板に設置された複数のＬＥＤとが、備えられ、基板の一側に、差込口金が設けられ、上記基板の底部に、更に、直接に灯座の底板に貼り付くように、放熱弾性ゴムが設けられる複数のＬＥＤ発光モジュールと、
　脱着自在に灯座の底板に設置され、上記ＬＥＤ発光モジュールに対応するように、ＬＥＤ発光モジュールの基板にある差込口金が差し込まれる複数の差込ソケットが設けられる電源制御回路板と、
　脱着自在に灯座の固定枠に設置され、その上端が、灯笠の開口を通して灯笠から露出する検出センサ
　が含有され
　ことを特徴とする
修理可能な環境保全多機能モジュール式ＬＥＤ灯具
【請求項２】
　
上記灯座が、円形で、各ＬＥＤ発光モジュールの基板が、扇形で、上記ＬＥＤ発光モジュールが、リング状に灯座の底板に配列され、上記電源制御回路板が、底板の中心に設置され
・・・
【請求項９】
　
上記ＬＥＤ発光モジュールは、上記放熱弾性ゴムのもう一側に、更に、色調整マスクが設けられる
「【０００１】
　本考案は、ＬＥＤ灯具に関するものであり、さらに詳しくは、修理可能な環境保全多機能モジュール式ＬＥＤ灯具に関するものである。」
「【０００３】
　従って、本考案の主な課題は、
簡単に交換でき廃棄物を増加させることなど環境に負荷を与えることがなく、環境保全の面からも好ましく、また、省エネルギーの利点が得られる修理可能な環境保全多機能モジュール式ＬＥＤ灯具を提供する
「【００１３】
　本考案による修理可能の環境保全多機能モジュール式ＬＥＤ灯具は、上記の通り、主として、金属材質からなり、底板があり、底板の周縁から上へ周壁が延び、上記灯座の中心に、固定枠が設けられる灯座と、上記灯座に嵌設され、中心に、開口が形成される灯笠と、脱着自在に灯座の底板に設置され、各発光モジュールに、基板と基板に設置された複数のＬＥＤとが、備えられ、基板の一側に、差込口金が設けられ、上記基板の底部に、更に、直接に灯座の底板に貼り付くように、放熱弾性ゴムが設けられる複数のＬＥＤ発光モジュールと、脱着自在（装卸可能的）に灯座の底板に設置され、上記ＬＥＤ発光モジュールに対応するように、基板にある差込口金がし込まれる複数の差込ソケットが、設けられる電源制御回路板と、非常照明でき、また、人体や各種類の災害を検出や警報できる機能を有し、固定枠に固定され、その上端が、灯笠の開口に通して灯笠から露出する検出センサと、が備えられるように構成されたものである。
【００１４】
　本考案に係るＬＥＤ灯具は、上記の通り、
複数のＬＥＤ発光モジュールと、電源制御回路板と、検出センサと、飾りリングを着脱自在のものとしたので、一つのＬＥＤが故障した場合でも、一つのＬＥＤモジュールの交換のみで対応することができる。また、灯笠、電源制御回路板、検出センサ及び飾りリング等もそれぞれ簡単に交換することができ、廃棄物量を低減させることができる。
「【００１６】
　図１乃至図３を参照しながら、本考案に係るＬＥＤ灯具について詳細に説明する。
本考案に係るＬＥＤ灯具は、灯座１０と、灯笠２０と、ＬＥＤ発光モジュール３０と、電源制御回路板４０と、検出センサ５０と、飾りリング６０とから構成されたものである。
【００１７】
　灯座１０は、放熱し易いアルミニウム金属材質からなり、ほぼディスク状で、底板１１と底板１１の周縁から上へ伸びる周壁１２があり、また、底板１１の中心に、固定枠１３が設けられ、上記固定枠１３の上方に、リング状シート１３１が設置され、リング状シート１３１の中心に、バイアホール１３２が形成され、また、固定枠１３のリング状シート１３１の両側から、それぞれ、下へスタンド１３３が設けられて、固定枠１３が、そのスタンド１３３により、底板１１に固定され、また、底板１１において、周縁に沿って、一体的にプレスされて、中央が上へ突出するリング状突縁１１１が形成され、上記底板１１にも、複数の、下へ突出し、一体的にプレスされるリブ１１２が形成されてある。
【００１８】
　灯笠２０は、透過材質からなり、上記灯座１０に対応して、ほぼ円弧面のディスク状であり、上記灯座１０に設置され、また、中心に、開口２１が形成されて、ロック蓋２２があり、上記ロック蓋２２が、灯笠２０の開口２１に通せる約筒状で、ロック蓋２２の上段の外周に、突縁２２１が設けられ、灯笠２０に対して位置付けでき、また、上記ロック蓋２２の内壁に螺条２２２が形成されてある。
【００１９】
　
ＬＥＤ発光モジュール３０は、複数設けられてあり、灯座１０の底板１１のリング状突縁１１１に設置され
上記基板３１が、上記底板１１のリング状突縁１１１に対応して、扇形になり、基板３１が、リング状突縁１１１の上に設置され、他のＬＥＤ発光モジュール３０と、リング状に囲み、また、それぞれの基板３１に、複数のＬＥＤ３１１が配列され
【００２０】
　また、上記ＬＥＤ発光モジュール３０の基板３１の上方に、上記外蓋３２が嵌設され、上記外蓋３２が、基板３１に対応して扇形になり、その両側に、それぞれ、ラグ３２１が形成され、これにより、その外蓋３２で、底板１１に固定され、また、簡単に交換できるようにしてある。上記外蓋３２が、所定の色を有する透過材質からなり、それにより、光混合の作用が実現される。
【００２１】
　また、基板３１の底部に、上記放熱弾性ゴム３３が設置され、ＬＥＤ３１１による熱エネルギーが、放熱弾性ゴム３３を介して直接に、アルミニウム金属からなる底板１１に伝達されて、放熱の効果が得られる。　　　
そして、上記基板３１と上記外蓋３２との間に、更に、色調整マスク３４が介在し、上記色調整マスク３４により、上記ＬＥＤ３１１に合わせて光の色を調整できるようにしてある。」
「【００２５】
　図２で示すように、本考案のより良い実施例であるＬＥＤ灯具は、天井式の円盤灯であり、上記灯座１０の底板１１を、一般の部屋の天井に組立てた場合、上記灯座１０が、底板１１のリブ１１２により、天井との間に、隙間が形成されて、放熱の効果が得られる。
【００２６】
　ＬＥＤ３１１が故障した場合、ＬＥＤ発光モジュール３０の外蓋３２に固定するネジを弛め、故障した発光モジュール３０の差込口金３１２を、電源制御回路板４０の差込ソケット４１から抜き出して、故障したＬＥＤ発光モジュール３０だけを上記灯座１０から直接に取り外して、新しいＬＥＤ発光モジュール３０を実装すればよい。また、上記灯具の他のパーツも、例えば、灯笠２０や電源制御回路板４０、検出センサ５０及び飾りリング６０等も、簡単に交換できる。」
　また、以下の図が示されている。
（イ）甲第６号証に記載された発明
　上記（ア）の請求項２の「上記灯座が、円形で、各ＬＥＤ発光モジュールの基板が、扇形で、上記ＬＥＤ発光モジュールが、リング状に灯座の底板に配列され、」との記載、段落【００１９】の「ＬＥＤ発光モジュール３０は、複数設けられてあり、灯座１０の底板１１のリング状突縁１１１に設置され、・・・上記基板３１が、上記底板１１のリング状突縁１１１に対応して、扇形になり、基板３１が、リング状突縁１１１の上に設置され、他のＬＥＤ発光モジュール３０と、リング状に囲み、また、それぞれの基板３１に、複数のＬＥＤ３１１が配列され」との記載、及び【図２】を参照すると、ＬＥＤ発光モジュールが、リング状に灯座の底板に配列されることで基板がリング状に一体的に形成され、該基板には複数のＬＥＤは略円周方向に実装されていることが認定できる。また、【図２】から、後者の「上記灯座に嵌設され、中心に、開口が形成される灯笠」は、「複数のＬＥＤ」を設置した「基板」及び「色調整マスク」を含めた「灯座」の前面側を覆うことが看取できる。
　そうすると、甲第６号証には、以下の発明（以下「甲６発明」という。）が記載されているものと認められる。
「主として、
アルミニウム金属材質からなり、底板があり、底板の周縁から上へ周壁が延び、底板の中心に、固定枠が設けられる灯座と、
　上記灯座に嵌設され、中心に、開口が形成される灯笠と、
　脱着自在に灯座の底板に設置され、各ＬＥＤ発光モジュールに、基板と、基板に設置された複数のＬＥＤとが、備えられ、
基板の一側に、差込口金が設けられ、上記基板の底部に、更に、直接に灯座の底板に貼り付くように、放熱弾性ゴムが設けられる複数のＬＥＤ発光モジュールと、
　脱着自在に灯座の底板に設置され、上記ＬＥＤ発光モジュールに対応するように、ＬＥＤ発光モジュールの基板にある差込口金が差し込まれる複数の差込ソケットが設けられる電源制御回路板と、
　脱着自在に灯座の固定枠に設置され、その上端が、灯笠の開口を通して灯笠から露出する検出センサが含有され、
　上記灯座が、円形で、各ＬＥＤ発光モジュールの基板が、扇形で、上記ＬＥＤ発光モジュールが、リング状に灯座の底板に配列されることで基板がリング状に一体的に形成され、該基板には複数のＬＥＤは略円周方向に実装され、上記電源制御回路板が、底板の中心に設置され、
　上記ＬＥＤ発光モジュールは、上記放熱弾性ゴムのもう一側に、更に、色調整マスクが設けられ、
　灯笠は複数のＬＥＤを設置した基板及び色調整マスクを含めた灯座の前面側を覆う、修理可能な環境保全多機能モジュール式ＬＥＤ灯具。」
イ．対比・判断
イ−１．本件発明１について
（ア）対比
　本件発明１と甲６発明とを対比する。
（ア−１）後者の「アルミニウム金属材質からなり、底板があり、底板の周縁から上へ周壁が延び、底板の中心に、固定枠が設けられるディスク状の灯座」は「円形で」あるから、前者の「円形状の開口を有する円形状の本体」とは、「円形状の本体」の限度で共通する。
（ア−２）後者の「複数のＬＥＤ」は前者の「複数の発光素子」に相当し、後者の「各ＬＥＤ発光モジュールの基板が、扇形で、上記ＬＥＤ発光モジュールが、リング状に灯座の底板に配列されることで基板がリング状に一体的に形成され、該基板には複数のＬＥＤは略円周方向に実装され」る構成における「基板」と、前者の「前記取付部を囲むように環状に一体的に形成され、複数の発光素子が前記取付部を中心とする略円周方向に実装された基板」とは、「環状に一体的に形成され、複数の発光素子が略円周方向に実装された基板」の限度で共通する。
（ア−３）後者の「リング状に灯座の底板に配列され」た「ＬＥＤ発光モジュール」「のもう一側に、更に、」「設けられる」「色調整マスク」と、前者の「環状に形成された拡散部材」とは、「環状に形成された光学部材」の限度で共通する。
（ア−４）後者の「複数のＬＥＤを設置した基板及び色調整マスクを含めた灯座の前面側を覆う」「灯笠」と、前者の「前記発光素子を実装した基板及び拡散部材を含めた前記本体の前面側を覆う拡散性を備えたカバー部材」とは、「前記発光素子を実装した基板及び前記本体の前面側を覆うカバー部材」の限度で共通する。
（ア−５）後者の「上記ＬＥＤ発光モジュールは、上記放熱弾性ゴムのもう一側に、更に、色調整マスクが設けられる」構成と前者の「前記拡散部材は、前記基板に実装された複数の発光素子よりも内周側の前記略円周方向に連続して延在する第１の平坦部と当該複数の発光素子よりも外周側の前記略円周方向に連続して延在する第２の平坦部と、第１の平坦部および第２の平坦部の間に、断面形状が一定であって、前記複数の発光素子に対向するように前記略円周方向に連続して形成され、前記第１の平坦部および第２の平坦部よりも突出している突出部分とを有し、前記基板の前記複数の発光素子が実装されている側の面の全面を前面側から覆うように前記本体に固定される」構成とは、「前記光学部材は、前記基板の前記複数の発光素子が実装されている側の面の全面を前面側から覆うように前記本体に固定される」構成の限度で共通する。
（ア−６）後者の「修理可能な環境保全多機能モジュール式ＬＥＤ灯具」は、前者の「照明器具」に相当する。
　以上によれば、本件発明１と甲６発明とは、  
「円形状の本体と；  
　環状に一体的に形成され、複数の発光素子が略円周方向に実装された基板と；  
　環状に形成された光学部材と、
　前記発光素子を実装した基板及び光学部材を含めた前記本体の前面側を覆うカバー部材と；  
　を有する照明器具において、  
  前記光学部材は、前記基板の前記複数の発光素子が実装されている側の面の全面を前面側から覆うように前記本体に固定される照明器具。」の点で一致し、以下の点で相違する。  
＜相違点Ａ＞
　本件発明１は、「
円形状の開口を有する
前記開口の内側に配設され、天井面に配設された配線器具と電気的かつ機械的に接続されるアダプタが係合される略円筒状の取付部
前記取付部を囲むように
前記取付部を中心とする
　甲６発明は、「灯座」は
円形状の開口を有する
取付部
前記取付部を囲むように
取付部を中心とする
＜相違点Ｂ＞
　「光学部材」に関し、  
　本件発明１は、「拡散部材」であり、「前記基板に実装された複数の発光素子よりも内周側の前記略円周方向に連続して延在する第１の平坦部と当該複数の発光素子よりも外周側の前記略円周方向に連続して延在する第２の平坦部と、第１の平坦部および第２の平坦部の間に、断面形状が一定であって、前記複数の発光素子に対向するように前記略円周方向に連続して形成され、前記第１の平坦部および第２の平坦部よりも突出している突出部分とを有」するのに対し、
　甲６発明は、「色調整マスク」であり、かかる「第１の平坦部および第２の平坦部」及び「突出部分」を有しない点。
（イ）判断
（イ−１）上記相違点Ａについて検討する。 
ａ．甲６発明の課題は、甲第６号証の段落【０００３】に記載されるように「簡単に交換でき廃棄物を増加させることなど環境に負荷を与えることがなく、環境保全の面からも好ましく、また、省エネルギーの利点が得られる修理可能な環境保全多機能モジュール式ＬＥＤ灯具を提供する」ものであり、その具体的構成として、「底板の中心に、固定枠が設けられる灯座と、」「脱着自在に灯座の固定枠に設置され、その上端が、灯笠の開口を通して灯笠から露出する検出センサが含有され、」「上記電源制御回路板が、底板の中心に設置され」る構成を有するものである。そして、段落【００１４】に記載されるように「複数のＬＥＤ発光モジュールと、電源制御回路板と、検出センサと、飾りリングを着脱自在のものとしたので、一つのＬＥＤが故障した場合でも、一つのＬＥＤモジュールの交換のみで対応することができる。また、灯笠、電源制御回路板、検出センサ及び飾りリング等もそれぞれ簡単に交換することができ、廃棄物量を低減させることができる。」との効果を奏するものである。
　そうすると、甲６発明は、灯座の底板の中心に、電源制御回路板が設置されること及び検出センサが設置される固定枠が設置されることが必須の構成といえるから、甲６発明において、灯座の底板の中心に、灯座に円形状の開口を設けたり、該開口に上記相違点Ａに係る取付部を有する構成にする動機付けは存在しない。
　
ｂ．特許異議申立人梯京子は、平成３１年２月２２日に提出された意見書の１６ページにおいて、天井面に配設された配線器具と電気的かつ機械的に接続されるアダプタが係合される略円筒状の取付部を有することは、甲第４号証、甲第７号証に記載されたとおり周知の技術にすぎない旨述べているが、上記ａ．のとおり、甲６発明には、灯座の底板の中心に、灯座に円形状の開口を設けたり、該開口に取付部を有する構成にする動機付けが存在しないのだから、甲６発明と当該周知技術に基づいて、甲６発明において、上記相違点Ａに係る本件発明１の構成が当業者にとって容易想到であるということはできない。 
　なお、甲第１号証及び甲第５号証は、本件発明１の「拡散部材」に関係する技術を開示するたの証拠であり、甲第２号証及び甲第３号証は、本件訂正前の「円形状の本体」に関する技術を開示するたの証拠であるから、上記相違点Ａに係る本件発明１の構成に関する技術を開示するものではない。 
（イ−２）上記相違点Ｂについて検討する。 
　甲第１号証及び甲第５号証には、本件発明１の「環状に形成された拡散部材」に相当する、甲第１号証の「拡散板２５」（段落【００３７】及び【図５】を参照。）及び引用文献５の「リング状拡散板３」（段落【００２１】及び【図２】を参照。）が記載されているといえるが、該甲第１号証の「拡散板２５」及び甲第５号証の「リング状拡散板３」は、本件発明１の「第１の平坦部および第２の平坦部」の構成を有していない。
　そうすると、引用発明の「色調整マスク」の構成に代えて、当該甲第１号証の「拡散板２５」及び甲第５号証の「リング状拡散板３」の構成を採用しても、本件発明１の「第１の平坦部および第２の平坦部」と「突出部分」を有する「拡散部材」の構成には至らない。
　また、甲６発明の「色調整マスク」は、光の色を調整するものであって、上記甲第１号証の「拡散板２５」及び甲第５号証の「リング状拡散板３」の有する拡散する機能とは異にするものであるから、甲６発明の「色調整マスク」に代えて、当該甲第１号証の「拡散板２５」及び甲第５号証の「リング状拡散板３」の構成を採用する動機付けも存在しない。
　よって、上記相違点Ｂに係る本件発明１の構成が当業者にとって容易想到であるということはできない。 
　なお、甲第２号証及び甲第３号証は、本件発明１の「円形状の本体」に関する技術を例示するものであり、甲第４号証、甲第６号証及び甲第７号証は、本件発明１の「環状に一体的に形成され、複数の発光素子が略円周方向に実装された基板」に関する技術を例示するものであって、上記相違点Ｂに係る本件発明１の構成に関する技術を開示するものではない。
（イ−３）以上のとおりであるから、本件発明１は甲６発明、甲第１号証〜甲第５号証、及び甲第７号証に記載された発明に基いて当業者が容易に発明をすることができたものということはできない。
イ−２．本件発明２、３について
　本件発明２、３は、本件発明１の発明特定事項を全て含み、さらに限定して発明を特定したものであるから、本件発明１と同様に、当業者が容易に発明をすることができたとはいえない。
イ−３．小括  
　よって、申立理由６によって、本件請求項１〜３に係る特許を取り消すことはできない。
第７　むすび  
　以上のとおりであるから、本件取消理由通知に記載した取消理由及び特許異議申立書に記載した申立理由によっては、本件請求項１〜３に係る特許を取り消すことはできないし、他に本件請求項１〜３に係る特許を取り消すべき理由を発見しない。  
　よって、結論のとおり決定する。
【異議決定日】
令和１年１０月７日（２０１９．１０．７）
【訂正の要旨】
審決（決定）の【理由】欄参照。
（５４）【発明の名称】
照明器具
　【技術分野】
　【０００１】
　本発明の実施形態は、光源としてＬＥＤ等の発光素子を用いた照明器具に関する。
　【背景技術】
　【０００２】
　一般住宅用の照明器具においては、主光源に環状の蛍光ランプを用い、この環状の蛍光ランプの下方側を覆うようにカバー部材（セード）を設けて、外観形状を丸形に構成するものが普及している。
　【０００３】
　一方、近時、ＬＥＤ等の発光素子の高出力化、高効率化及び普及化に伴い、光源として発光素子を用いて長寿命化が期待できる照明器具が開発されている。光源として発光素子を用いて、従来のように環状の蛍光ランプを用いた照明器具と同様な態様で照明器具を構成するには、例えば、天井面に設置された引掛けシーリングボディへの取付部の周囲に複数の発光素子を配置し、これら発光素子から出射される光を直下方向の所定の範囲に照射させる必要がある。
　【０００４】
　このように光源として複数の発光素子を取付部の周囲に配置した場合には、従来の環状の蛍光ランプを用いた場合と同様な態様で構成でき、また、長寿命化や薄型化が期待できる照明器具を実現することができる。
　【先行技術文献】
　【非特許文献】
　【０００５】
　【非特許文献１】シャープ／ＬＥＤシーリングライト［平成２３年１月６日検索］（ｈｔｔｐ：／／ｗｗｗ．ｓｈａｒｐ．ｃｏ．ｊｐ／ｃｏｒｐｏｒａｔｅ／ｎｅｗｓ／１００８１９−ａ−２．ｈｔｍｌ）
　【発明の概要】
　【発明が解決しようとする課題】
　【０００６】
　しかしながら、光源としてＬＥＤ等の発光素子を用いると、発光素子はその出射光の指向性が強く輝度が高いため、粒々感が目立ち、輝度が均一化されにくく、照射光の均斉度が低下するという問題が生じる。
　【０００７】
　本発明は、上記課題に鑑みなされたもので、照明光の均斉度の向上を図ることが可能な照明器具を提供することを目的とする。
　【課題を解決するための手段】
　【０００８】
　本発明の実施形態による照明器具は、円形状の
開口を有する円形状の
前記開口の内側に配設され、天井面に配設された配線器具と電気的かつ機械的に接続されるアダプタが係合される略円筒状の取付部と；前記取付部を囲むように
が前記取付部を中心とする略円周方向に
は、前
に実装された複数の発光素子よりも
の前記略円周方向に連続して延在する第１の平坦部と当該複数の発光素子よりも
の前記略円周方向に
第２の
と、第１の平坦部および第２の平坦部の間に、断面形状が一定であって、前記複数の発光素子に対向するように前記略円周方向に連続して形成され、前記第１の平坦部および第２の平坦部よりも突出している突出部分と
前記複数の発光素子が実装されている側の面の
　【発明の効果】
　【０００９】
　本発明の実施形態によれば、照射光の均斉度の向上を図ることが可能な照明器具を提供することができる。
　【図面の簡単な説明】
　【００１０】
　【図１】本発明の実施形態に係る照明器具を示す斜視図である。
　【図２】同照明器具を示す分解斜視図である。
　【図３】同照明器具においてカバー部材及び点灯装置カバーを取外して下方から見て示す概略の平面図である。
　【図４】同照明器具を示す断面図である。
　【図５】図４中、Ａ部を示す拡大図である。
　【図６】同照明器具における１枚の基板を取り出して示す平面図である。
　【図７】同照明器具における光源部と拡散部材とを組み合わせた状態で一部拡大して示す断面図である。
　【発明を実施するための形態】
　【００１１】
　以下、本発明の実施形態について図１乃至図７を参照して説明する。各図においてリード線等による配線接続関係は省略して示している場合がある。なお、同一部分には同一符号を付し、重複した説明は省略する。
　【００１２】
　本実施形態の照明器具は、器具取付面に設置された配線器具としての引掛けシーリングボディに取付けられて使用される一般住宅用のものであり、基板に実装された複数の発光素子を有する光源部から放射される光によって室内の照明を行うものである。
　【００１３】
　図１乃至図４において、照明器具は、本体１と、光源部２と、拡散部材３と、点灯装置４と、点灯装置カバー５と、取付部６と、カバー部材７とを備えている。また、器具取付面としての天井面Ｃに設置された引掛けシーリングボディＣｂに電気的かつ機械的に接続されるアダプタＡを備えている。このような照明器具は、丸形の円形状の外観に形成され、前面側を光の照射面とし、背面側を天井面Ｃへの取付面としている。
　【００１４】
　図２乃至図５に示すように、本体１は、冷間圧延鋼板等の金属材料の平板から円形状に形成されたシャーシであり、略中央部に、後述する取付部６を配設するための円形状の開口１１が形成されている。また、光源部２が取付けられる内面側の平坦部１２の外周側には、背面側へ向かう段差部１３が形成されて樋状の凹部１４が形成されている。さらに、本体１の背面側には、弾性部材１５が設けられている。
　【００１５】
　光源部２は、図６の参照を加えて説明するように、基板２１と、この基板２１に実装された複数の発光素子２２とを備えている（図２においては発光素子２２の図示を省略している）。基板２１は、所定の幅寸法を有した円弧状の４枚の基板２１が繋ぎ合わされるように配設されて全体として略サークル状に形成されている。つまり、全体として略サークル状に形成された基板２１は、４枚の分割された基板２１から構成されている。
　【００１６】
　このように分割された基板２１を用いることにより、基板２１の分割部で熱的収縮を吸収して基板２１の変形を抑制することができる。なお、複数に分割された基板２１を用いることが好ましいが、略サークル状に一体的に形成された一枚の基板を用いるようにしてもよい。
　【００１７】
　基板２１は、絶縁材であるガラスエポキシ樹脂（ＦＲ−４）の平板からなり、表面側には銅箔によって配線パターンが形成されている。また、配線パターンの上、つまり、基板２１の表面には反射層として作用する白色のレジスト層が施されている。なお、基板２１の材料は、絶縁材とする場合には、セラミックス材料又は合成樹脂材料を適用できる。さらに、金属製とする場合は、アルミニウム等の熱伝導性が良好で放熱性に優れたベース板の一面に絶縁層が積層された金属製のベース基板を適用できる。
　【００１８】
　発光素子２２は、ＬＥＤであり、表面実装型のＬＥＤパッケージである。このＬＥＤパッケージが複数個サークル状の基板２１の周方向に沿って、つまり、取付部６を中心とする略円周上に複数列、本実施形態では、内周側及び外周側の２列に亘って実装されている。また、ＬＥＤパケージには、発光色が昼白色のものと電球色のものとが用いられており、これらが交互に並べられていて、各列の隣接する発光素子２２は略等間隔を空けて配設されている。この昼白色と電球色のＬＥＤパッケージに流れる電流等を調整することにより調色が可能となっている。
　【００１９】
　なお、特定の基板２１（図３中、右側）には、常夜灯用の発光素子２２ａが実装されている。この発光素子２２ａには、サークル状に実装された主光源における電球色のものと同じＬＥＤパッケージが用いられている。これにより部材の共通化が図られている。
　【００２０】
　なお、発光素子２２は、必ずしも複数列に実装する必要はない。例えば、周方向に沿って１列に実装するようにしてもよい。所望する出力に応じて発光素子２２の列数や個数を適宜設定することができる。
　【００２１】
　ＬＥＤパッケージは、概略的にはセラミックスや合成樹脂で形成された本体に配設されたＬＥＤチップと、このＬＥＤチップを封止するエポキシ系樹脂やシリコーン樹脂等のモールド用の透光性樹脂とから構成されている。ＬＥＤチップは、青色光を発光する青色のＬＥＤチップである。透光性樹脂には、昼白色や電球色の光を出射できるようにするために蛍光体が混入されている。
　【００２２】
　なお、ＬＥＤは、ＬＥＤチップを直接基板２１に実装するようにしてもよく、また、砲弾型のＬＥＤを実装するようにしてもよく、実装方式や形式は、格別限定されるものではない。
　【００２３】
　拡散部材３は、レンズ部材であり、図７の参照を加えて説明するように、例えば、ポリカーボネートやアクリル樹脂等の絶縁性を有する透明合成樹脂からなり、強化絶縁性能を有している。そして、前記発光素子２２の配置に沿って略サークル状に一体的に形成されていて、発光素子２２を含めて基板２１の全面を覆うように配設されている。
　【００２４】
　また、レンズ部材は、図５及び図７に代表して示すように、略サークル状の内周側部分と外周側部分とに発光素子２２に対向して円周方向に２条の山形であって、断面形状が一定の突条部３１が連続して形成されている。この突条部３１の内側には、Ｕ字状の溝３２が円周方向に沿って連続して形成されている。したがって、Ｕ字状の溝３２は、複数の発光素子２２と対向して配置されるようになっており、複数の発光素子２２は、Ｕ字状の溝３２内に収められて覆われている状態となっている。
　【００２５】
　さらに、これら突条部３１からは幅方向に延出する平坦部３３が形成されており、これにより基板２１の全面が覆われるようになっている。
　【００２６】
　このように構成されたレンズ部材によれば、図５に示すように複数の発光素子２２から出射された光は、突条部３１によって、主として円周上の内周方向及び外周方向に拡散されて放射される。すなわち、発光素子２２から出射された光は、発光素子２２が配置されたところのサークル状の中心を原点とする半径方向へ主として拡散して放射されるようになる。
　【００２７】
　したがって、レンズ部材によって複数の発光素子２２から出射される光による照射光の均斉度を向上することが可能となる。さらに、各発光素子２２の輝度による粒々感を抑制することができる。この場合、拡散による配光角度を１２０度〜１６０度程度に設定するのが望ましい。
　【００２８】
　また、拡散部材３には、平坦部３３が形成されて基板２１の全面を覆うようになっているので、充電部が強化絶縁性能を有する拡散部材３によって覆われ保護される。
　【００２９】
　なお、拡散部材３は、略サークル状に一体的に形成されていなくてもよい。例えば、分割された基板２１に対応して、これらの基板２１ごとに分割して形成するようにしてもよい。この場合には、一つの基板２１に実装された複数の発光素子２２ごとに連続して拡散部材３によって覆われるようになる。
　【００３０】
　また、拡散部材３は、レンズ部材に限らず、拡散シート等を適用するようにしてもよい。
　【００３１】
　上記のように構成された光源部２は、図４及び図５に代表して示すように、基板２１が取付部６の周囲に位置して、発光素子２２の実装面が前面側、すなわち、下方の照射方向に向けられて配設されている。また、基板２１の裏面側が本体１の内面側の平坦部１２に密着するように面接触して取付けられている。具体的には、基板２１の前面側から拡散部材３が重ね合わされ、この拡散部材３を例えば、ねじＳ等の固定手段によって本体１に取付けることにより、基板２１は、本体１と拡散部材３との間挟み込まれて押圧固定されるようになっている。つまり、１本のねじＳによって基板２１と拡散部材３とが共締めされている。
　【００３２】
　したがって、基板２１は、本体１と熱的に結合され、基板２１からの熱が裏面側から本体１に伝導され放熱されるようになっている。なお、基板２１と本体１との面接触は、基板２１の全面が本体１に接触する場合に限らない。部分的な面接触であってもよい。
　【００３３】
　加えて、拡散部材３における平坦部３３は、基板２１の実装面側に密着するように面接触しているので、基板２１の実装面側から熱が拡散部材３に伝わり、拡散部材３を経由して放熱することが可能となる。つまり、基板２１の前面側からも放熱できるようになっている。
　【００３４】
　点灯装置４は、図２乃至図４に示すように、回路基板４１と、この回路基板４１に実装された制御用ＩＣ、トランス、コンデンサ等の回路部品４２とを備えている。回路基板４１は、取付部６の周囲を囲むように略円弧状に形成されていて、アダプタＡ側が電気的に続されて、アダプタＡを介して商用交流電源に接続されている。したがって、点灯装置４は、この交流電源を受けて直流出力を生成し、リード線を介してその直流出力を発光素子２２に供給し、発光素子２２を点灯制御するようになっている。
　【００３５】
　このような点灯装置４は、取付部６と光源部２、すなわち、基板２１との間に配設されている。
　【００３６】
　点灯装置カバー５は、図２及び図４に示すように、冷間圧延鋼板等の金属材料によって略短円筒状に形成され、点灯装置４を覆うように本体１に取付けられている。側壁５１は、背面側に向かって拡開するように傾斜状をなしており、前面壁５２には、取付部６と対応するように開口部５３が形成されている。したがって、発光素子２２から出射される一部の光は、側壁５１によって前面側に反射され有効に利用されるようになる。また、この開口部５３に周縁には背面側へ凹となる円弧状のガイド凹部５４が形成されている。
　【００３７】
　取付部６は、略円筒状に形成されたアダプタガイドであり、このアダプタガイドの中央部には、アダプタＡが挿通し、係合する係合口６１が設けられている。このアダプタガイドは、本体１の中央部に形成された開口１１に対応して配設されている。アダプタガイドの外周部には、この外周部から突出するように基台が形成されていて、この基台には赤外線リモコン信号受信部や照度センサ等の電気的補助部品６２が配設されている。
　【００３８】
　なお、取付部６は、必ずしもアダプタガイド等と指称される部材である必要はない。例えば、本体１等に形成される開口であってもよく、要は、配線器具としての引掛けシーリングボディＣｂに対向し、アダプタＡが係合される部材や部分を意味している。
　【００３９】
　カバー部材７は、アクリル樹脂等の透光性を有し、乳白色を呈する拡散性を備えた材料から略円形状に形成されており、中央部には不透光性の円形状の化粧カバー７１が取付けられている。また、この化粧カバー７１には、前記電気的補助部品６２と対向するように略三角形状の透光性を有する受光窓７２が形成されている。さらに、カバー部材７の内面側の中央寄りには、内面方向に突出する突出ピン７３が形成されている。
　【００４０】
　そして、カバー部材７は、光源部２を含めた本体１の前面側を覆うように本体１の外周縁部に着脱可能に取付けられるようになっている。具体的には、カバー部材７を回動することによって、カバー部材７に設けられた図示しないカバー取付金具を本体１の外周縁部の凹部１４に配設されたカバー受金具７５に係合することにより取付けられる。
　【００４１】
　このようにカバー部材７が本体１に取付けられた状態においては、主として図４に示すように、カバー部材７の内面側は、点灯装置カバー５の前面壁５２に面接触するようになる。したがって、点灯装置４等から発生する熱を点灯装置カバー５へ伝導し、さらにカバー部材７へ伝導させて放熱を促進することが可能となる。
　【００４２】
　また、拡散部材３とカバー部材７との間の距離は、２０〜６０ｍｍ、好ましくは３０〜５０ｍｍに設定されている。これにより、照射光の均斉度が良好となり、基板２１の実装面側から拡散部材３に伝導された熱がカバー部材７を経由して効果的に放熱されるようになる。
　【００４３】
　ここで、カバー部材７は、回動させて本体１に取付けられるが、受光窓７２の位置を電気的補助部品６２と対向するように位置合わせをする必要がある。このため、本実施形態においては、詳細な説明は省略するが、カバー部材７側に形成された突出ピン７３と点灯装置カバー５に形成されたガイド凹部５４とによって位置規制手段が構成されている。この位置規制手段によって受光窓７２が電気的補助部品６２と対向して位置されるようになり、例えば、赤外線リモコン信号受信部が赤外線リモコン送信器からの制御信号を受信できるようになる。
　【００４４】
　アダプタＡは、天井面Ｃに設置された引掛けシーリングボディＣｂに、上面側に設けられた引掛刃によって電気的かつ機械的に接続されるもので略円筒状をなし、周壁の両側には一対の係止部Ａ１が、内蔵されたスプリングによって常時外周側へ突出するように設けられている。この係止部Ａ１は下面側に設けられたレバーを操作することにより没入する
　【００４５】
ようになっている。また、このアダプタＡからは、前記点灯装置４へ接続する電源コードが導出されていて、点灯装置４とコネクタを介して接続されるようになっている（図３参照）。
　【００４６】
　次に、照明器具の天井面Ｃへの取付状態について図４を参照して説明する。まず、予め天井面Ｃに設置されている引掛けシーリングボディＣｂにアダプタＡが電気的かつ機械的に接続されている。この状態から取付部６としてのアダプタガイドの係合口６１をアダプタＡに合わせながら、アダプタＡの係止部Ａ１がアダプタガイドの係合口６１に確実に係合するまで器具本体を下方から手で押し上げて取付け操作を行う。そして、カバー部材７を本体１に取付ける。この取付完了状態が図４に示す状態であり、このとき、弾性部材１５が天井面Ｃと本体１の背面側との間に密着状態で介在され、照明器具は、天井面Ｃに固定状態となる。
　【００４７】
　また、照明器具を取外す場合には、カバー部材７を取外し、アダプタＡに設けられているレバーを操作してアダプタＡの係止部Ａ１の係合を解くことにより取外すことができる。
　【００４８】
　照明器具の天井面Ｃへの取付状態において、点灯装置４に電力が供給されると、基板２１を介して発光素子２２に通電され、各発光素子２２が点灯する。発光素子２２から出射された光は、複数の発光素子２２を連続して覆う拡散部材３によって半径方向へ拡散されるとともに、前面側へ放射される。前面側へ放射された光は、カバー部材７を透過して外方へ照射される。したがって、照射光の均斉度の向上を図ることができるとともに、各発光素子２２の輝度による粒々感を抑制することが可能となる。
　【００４９】
　また、半径方向の内周側へ向かう一部の光は、点灯装置カバー５における傾斜状の側壁５１によって前面側に反射され有効に利用されるようになる。
　【００５０】
　一方、発光素子２２から発生する熱は、基板２１の裏面側が本体１に面接触しているため、本体１に効果的に伝導され、広い面積で放熱されるようになる。また、基板２１の外周側近傍には、基板２１の外周に沿って段差部１３が形成されているため、この段差部１３によって放熱面積を増大させることができ、本体１外周部での放熱効果を高めることが可能となる。加えて、この段差部１３は、本体１の補強効果を奏することができるものとなっている。
　【００５１】
　また、点灯装置４は、取付部６と基板２１との間に配設されているため、点灯装置４は、基板２１から熱的影響を受けるのを軽減される。これは、基板２１の熱は、本体１の外周方向に向かって伝導し、放熱される傾向にあることに起因するものである。
　【００５２】
　さらに、カバー部材７は、点灯装置カバー５に面接触するようになっているので、点灯装置４から発生する熱を点灯装置カバー５へ伝導し、さらにカバー部材７へ伝導させて放熱をさせることができる。
　【００５３】
　加えて、拡散部材３における平坦部３３は、基板２１の実装面側に面接触しているので、基板２１の実装面側から拡散部材３を経由して前面側からも放熱することが可能となる。また、この場合、拡散部材３は、基板２１の全面を覆うようになっているので充電部が保護されるようになる。
　【００５４】
　以上のように本実施形態によれば、照射光の均斉度の向上を図ることが可能な照明器具を提供することができる。
　【００５５】
　なお、本発明は、上記各実施形態の構成に限定されることなく、発明の要旨を逸脱しない範囲で種々の変形が可能である。例えば、発光素子は、ＬＥＤや有機ＥＬ等の固体発光素子が適用でき、この場合、発光素子の個数は特段限定されるものではない。
　【符号の説明】
　【００５６】
１・・・本体、２・・・光源部、３・・・拡散部材（レンズ部材）、４・・・点灯装置、５・・・点灯装置カバー、６・・・取付部（アダプタガイド）、７・・・カバー部材、１３・・・段差部、２１・・・基板、２２・・・発光素子（ＬＥＤ）、３１・・・突条部、３３・・・平坦部、Ａ・・・アダプタ、Ｃ・・・器具取付面（天井面）、Ｃｂ・・・配線器具（引掛けシーリングボディ）
（５７）【特許請求の範囲】
　【請求項１】
　円形状の
開口を有する円形状の
　
前記開口の内側に配設され、天井面に配設された配線器具と電気的かつ機械的に接続されるアダプタが係合される略円筒状の取付部と；
　
前記取付部を囲むように
が前記取付部を中心とする略円周方向に
　環状に形成された拡散部材と；
　前記発光素子を実装した基板及び拡散部材を含めた前記本体の前面側を覆う拡散性を備えたカバー部材と；
　を有する照明器具において、
　前記拡散部材
は、前
に実装された複数の発光素子よりも
の前記略円周方向に連続して延在する第１の平坦部と当該複数の発光素子よりも
の前記略円周方向に
第２の
と、第１の平坦部および第２の平坦部の間に、断面形状が一定であって、前記複数の発光素子に対向するように前記略円周方向に連続して形成され、前記第１の平坦部および第２の平坦部よりも突出している突出部分と
前記複数の発光素子が実装されている側の面の
　【請求項２】
　前記拡散部材
は、第１の平坦部および第２の
おいて、ねじにより、
けられてい
　【請求項３】
　前記基板には切欠きが形成されており、この切欠
を挿通する前記ねじにより、前記拡散部材は、前記本体に固定される